(57)【要約】【課題】プレビューの表示中に出力処理を一旦キャンセルする場合であっても、後に簡易な操作を行うだけで、キャンセル前のプレビューの状態を再現する。【解決手段】複合機５０は、プレビューの指示が受け付けられた場合、少なくとも印刷処理の実行前に、印刷処理に対して設定される画像処理の処理条件を示す画像処理パラータと前記印刷処理に用いられる画像データとを含む印刷情報を、複合機５０に挿入されているＩＣカード６０に記憶させる印刷情報処理部５９ｄを有している。【選択図】図２
2013006407.tif 000002
【特許請求の範囲】
【請求項１】
画像データの画像を出力する出力処理を実行する出力処理部と、
前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置において、
前記プレビューの指示が受け付けられた場合、少なくとも前記出力処理の実行前に、前記処理条件を示す処理条件情報と前記画像データとを含む出力情報を、前記画像出力装置の外部の外部記憶領域に記憶させる記憶処理を実行する出力情報処理部を備えることを特徴とする画像出力装置。
【請求項２】
前記外部記憶領域は前記画像出力装置に接続されるリムーバブルメディアであり、
前記出力情報処理部は、前記出力情報を前記リムーバブルメディアに書き込むことによって前記記憶処理を実現するようになっていることを特徴とする請求項１に記載の画像出力装置。
【請求項３】
ユーザ権限を有するユーザを識別するユーザ識別情報を予め記憶する記憶部と、
前記画像出力装置が前記リムーバブルメディアにアクセス可能になると、前記リムーバブルメディアからユーザ識別情報を読み出し、読み出したユーザ識別情報と前記記憶部に記憶されているユーザ識別情報とに基づき、ユーザ権限の有無を判定する認証処理部とを備え、
前記出力情報処理部は、前記認証処理部によってユーザ権限無と判定された場合に前記記憶処理を行わず、前記認証処理部によってユーザ権限有と判定された場合に前記記憶処理を行うようになっていることを特徴とする請求項２に記載の画像出力装置。
【請求項４】
前記出力情報処理部は、前記出力処理が完了した事を検知すると、前記リムーバブルメディアに記憶されている前記出力情報を消去することを特徴とする請求項２または３に記載の画像出力装置。
【請求項５】
前記出力情報処理部は、プレビューの指示が受け付けられ、且つ前記出力処理をキャンセルする指示が受け付けられた場合に、前記記憶処理を行うことを特徴とする請求項１から３のいずれか１項に記載の画像出力装置。
【請求項６】
ユーザを識別するユーザ識別情報と前記外部記憶領域のアドレスとの対応関係を予め記憶する記憶部と、
外部からユーザ識別情報が入力されると、入力されたユーザ識別情報と一致するユーザ識別情報に対応付けられているアドレスを前記記憶部から検出するアドレス検出部とを備え、
前記出力情報処理部は、プレビューの指示が受け付けられ、且つ前記出力処理をキャンセルする指示が受け付けられた場合に、前記記憶処理を行うようになっており、
前記記憶処理は、前記アドレス検出部にて検出されたアドレスに対応する外部記憶領域に前記出力情報を送信して記憶させる処理であることを特徴とする請求項１に記載の画像出力装置。
【請求項７】
前記プレビュー処理部は、前記出力情報が外部から入力された場合、入力された出力情報に含まれる画像データの画像を前記出力処理にて出力する画像とし、前記処理条件情報に含まれる処理条件を前記出力処理に対して設定した上で、前記プレビュー状態に移行するようになっていることを特徴とする請求項１から６のいずれか１項に記載の画像出力装置。
【請求項８】
前記画像データの画像が秘密性の高い秘密画像であるか否かを判定する秘密性判定部を備えており、
前記出力情報処理部は、前記画像データの画像が秘密画像であると前記秘密性判定部に判定された場合、前記記憶処理を実行しないことを特徴とする請求項１に記載の画像出力装置。
【請求項９】
前記画像データが画像出力装置に接続されるリムーバブルメディアから入力されたデータである場合、前記出力情報処理部は、前記画像データの画像が秘密画像であると前記秘密性判定部に判定されると、前記リムーバブルメディアに記憶されている前記画像データを消去することを特徴とする請求項８に記載の画像出力装置。
【請求項１０】
前記記憶処理の後に、前記画像データの画像が秘密性の高い秘密画像であるか否かを判定する秘密性判定部を備えており、
前記出力情報処理部は、前記画像データの画像が秘密画像であると前記秘密性判定部に判定された場合、前記リムーバブルメディアに記録された前記出力情報を消去することを特徴とする請求項２に記載の画像出力装置。
【請求項１１】
秘密であることを示すマークを前記画像データに合成する合成処理を行う合成処理部を備え、
前記秘密判定部は、前記合成処理の実行指示の入力を検出した場合、前記画像データの画像が秘密画像であると判定し、前記合成処理の実行指示の入力を検出しない場合、前記画像データの画像が秘密画像でないと判定することを特徴とする請求項８から１０のいずれか１項に記載の画像出力装置。
【請求項１２】
画像データの画像を出力する出力処理を実行する出力処理部と、
前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置において、
前記出力処理の対象となる画像データと前記画像データを識別するための画像識別情報とを対応付けて記憶する第１記憶部と、
前記プレビュー処理の指示が受け付けられた場合、少なくとも前記出力処理の実行前に、前記処理条件を示す処理条件情報と前記画像識別情報とを含む出力情報を、前記画像出力装置の外部の外部記憶領域に記憶させる記憶処理を実行する出力情報処理部とを備えることを特徴とする画像出力装置。
【請求項１３】
前記外部記憶領域は前記画像出力装置に接続されるリムーバブルメディアであり、
前記出力情報処理は、前記出力情報を前記リムーバブルメディアに書き込むことによって前記記憶処理を実現するようになっていることを特徴とする請求項１２に記載の画像出力装置。
【請求項１４】
ユーザ権限を有するユーザを識別するユーザ識別情報を予め記憶する第２記憶部と、
前記画像出力装置が前記リムーバブルメディアにアクセス可能になると、前記リムーバブルメディアからユーザ識別情報を読み出し、読み出したユーザ識別情報と前記第２記憶部に記憶されているユーザ識別情報とに基づき、ユーザ権限の有無を判定する認証処理部とを備え、
前記出力情報処理部は、前記認証処理部によってユーザ権限無と判定された場合に前記記憶処理を行わず、前記認証処理部によってユーザ権限有と判定された場合に前記記憶処理を行うようになっていることを特徴とする請求項１３に記載の画像出力装置。
【請求項１５】
前記出力情報処理部は、前記出力処理が完了した事を検知すると、前記リムーバブルメディアに記憶されている前記出力情報を消去することを特徴とする請求項１３または１４に記載の画像出力装置。
【請求項１６】
前記出力情報処理部は、プレビューの指示が受け付けられ、且つ前記出力処理をキャンセルする指示が受け付けられた場合に、前記記憶処理を行うことを特徴とする請求項１２から１４のいずれか１項に記載の画像出力装置。
【請求項１７】
ユーザを識別するユーザ識別情報と前記外部記憶領域のアドレスとの対応関係を予め記憶する第３記憶部と、
外部からユーザ識別情報が入力されると、入力されたユーザ識別情報と一致するユーザ識別情報に対応付けられているアドレスを前記第３記憶部から検出するアドレス検出部とを備え、
前記出力情報処理部は、プレビューの指示が受け付けられ、且つ前記出力処理をキャンセルする指示が受け付けられた場合に、前記記憶処理を行うようになっており、
前記記憶処理は、前記アドレス検出部にて検出されたアドレスに対応する外部記憶領域に前記出力情報を送信して記憶する処理であることを特徴とする請求項１２に記載の画像出力装置。
【請求項１８】
前記プレビュー処理部は、前記出力情報が外部から入力された場合、入力された出力情報に含まれる画像識別情報に対応付けられている画像データを前記第１記憶部から読み出し、読み出した画像データの画像を前記出力処理にて出力する画像とし、入力された出力情報に含まれる処理条件情報に示される処理条件を前記出力処理に対して設定した上で、前記プレビュー状態に移行するようになっていることを特徴とする請求項１２から１７のいずれか１項に記載の画像出力装置。
【請求項１９】
前記画像データの画像が秘密性の高い秘密画像であるか否かを判定する秘密性判定部を備えており、
前記出力情報処理部は、前記画像データの画像が秘密画像であると前記秘密性判定部に判定された場合、前記記憶処理を実行しないことを特徴とする請求項１２に記載の画像出力装置。
【請求項２０】
前記プレビュー処理部は、前記複合機に接続されたリムーバブルメディアから前記出力情報を入力した場合、入力された出力情報に含まれる画像識別情報に対応付けられている画像データを前記第１記憶部から読み出し、読み出した画像データの画像を前記出力処理にて出力する画像とし、入力された出力情報に含まれる処理条件情報に示される処理条件を前記出力処理に対して設定した上で、前記プレビュー状態に移行するようになっており、
前記出力情報処理部は、前記画像データの画像が秘密画像であると前記秘密性判定部に判定されると、前記リムーバブルメディアに記憶されている出力情報を消去することを特徴とする請求項１９に記載の画像出力装置。
【請求項２１】
前記記憶処理の後に、前記画像データの画像が秘密性の高い秘密画像であるか否かを判定する秘密性判定部を備えており、
前記出力情報処理部は、前記画像データの画像が秘密画像であると前記秘密性判定部に判定された場合、前記リムーバブルメディアに記録された前記出力情報を消去することを特徴とする請求項１３に記載の画像出力装置。
【請求項２２】
秘密であることを示すマークを前記画像データに合成する合成処理を行う合成処理部を備え、
前記秘密判定部は、前記合成処理の実行指示の入力を検出した場合、前記画像データの画像が秘密画像であると判定し、前記合成処理の実行指示の入力を検出しない場合、前記画像データの画像が秘密画像でないと判定することを特徴とする請求項１９から２１のいずれか１項に記載の画像出力装置。
【請求項２３】
前記出力処理は前記画像データの画像を印刷する印刷処理であり、前記出力処理部は印刷装置であることを特徴とする請求項１から２２のいずれか１項に記載の画像出力装置。
【請求項２４】
画像データの画像を出力する出力処理を実行する出力処理部と、
前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置の制御方法において、
前記プレビューの指示が受け付けられた場合、少なくとも前記出力処理の実行前に、前記処理条件を示す処理条件情報と前記画像データとを含む出力情報を、前記画像出力装置の外部の外部記憶領域に記憶させる工程を含むことを特徴とする画像出力装置の制御方法。
【請求項２５】
画像データの画像を出力する出力処理を実行する出力処理部と、
前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置の制御方法において、
前記出力処理の対象となる画像データと前記画像データを識別するための画像識別情報とを対応付けて第１記憶部に記憶させる工程と、
前記プレビュー処理の指示が受け付けられた場合、少なくとも前記出力処理の実行前に、前記処理条件を示す処理条件情報と前記画像識別情報とを含む出力情報を、前記画像出力装置の外部の外部記憶領域に記憶させる工程とを含むことを特徴とする画像出力装置の制御方法。
【請求項２６】
コンピュータを、請求項１または請求項１２に記載の画像出力装置の出力情報処理部として機能させる制御プログラム。
【請求項２７】
請求項２６に記載の制御プログラムを記録したコンピュータ読み取り可能な記録媒体。
【発明の詳細な説明】
【技術分野】
【０００１】
本発明は、印刷等の出力処理を実行する前に出力処理の対象となる画像のプレビュー（サムネイル）を表示する画像出力装置、画像出力装置の制御方法、制御プログラム、記録媒体に関するものである。
【背景技術】
【０００２】
特許文献１には、用紙上に画像データの画像を印刷（出力）する画像形成モードと、設定されている処理条件（画像処理の処理条件）で前記画像のプレビューを印刷前に表示するプレビューモードとを設け、画像形成モードではエッジ強調処理を行う一方でプレビューモードではエッジ強調処理を中止することにより、モアレの発生を抑制する画像形成装置が記載されている。
【先行技術文献】
【特許文献】
【０００３】
【特許文献１】特開平９−１３５３１６号公報
【特許文献２】特開平６−１２５４５９号公報
【特許文献３】特開２００４−２０１０６９号公報
【発明の概要】
【発明が解決しようとする課題】
【０００４】
ところで、特許文献１の画像形成装置によれば、何らかの事情でユーザがプレビューを表示させたまま装置から離れた場合、表示されている内容が他の人に見られてしまい、セキュリティの面で好ましくない。
【０００５】
これに対し、ジョブ（印刷処理）をキャンセルすればプレビューおよび画像データを消去できるので、ユーザはジョブを一旦キャンセルした上で画像形成装置から離れることにより、セキュリティ面の欠点を解消できる。
【０００６】
しかし、ジョブをキャンセルしてしまうと、キャンセル前のプレビュー状態（印刷処理に対して設定されている処理条件を反映させた画像のプレビューを表示させている状態）を再現するためには手間がかかるという問題がある。つまり、画像データの入力作業（例えば原稿の読み取り）を再度行う必要があるし、キャンセル前に設定されていた処理条件を再設定する必要もある。また、キャンセル前に設定されていた処理条件をユーザが忘れてしまっている可能性もある。
【０００７】
本発明は、以上の問題に鑑みてなされたものであり、出力処理にて出力される画像のプレビューを表示している時にユーザが出力処理を一旦キャンセルする場合であっても、後に簡易な操作を行うだけで、キャンセル前のプレビュー状態を再現できる画像出力装置を提供することを目的とする。
【課題を解決するための手段】
【０００８】
上記の目的を達成するために、本発明は、画像データの画像を出力する出力処理を実行する出力処理部と、前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置において、前記プレビューの指示が受け付けられた場合、少なくとも前記出力処理の実行前に、前記処理条件を示す処理条件情報と前記画像データとを含む出力情報を、前記画像出力装置の外部の外部記憶領域に記憶させる記憶処理を実行する出力情報処理部を備えることを特徴とする。
【０００９】
本発明の構成によれば、ユーザは、前記出力処理を一旦キャンセルした後、原稿の再読取や処理条件の再選択等の手間な操作を行わなくても、前記外部記憶領域に記憶された出力情報を画像出力装置に入力するという操作だけで、出力処理に必要な画像データや前記処理条件を画像出力装置に入力でき、これによりキャンセル前のプレビュー状態（キャンセル前に設定されていた処理条件を反映させた画像のプレビューを表示させている状態）を再現することが可能になる。つまり、簡易な操作によって、出力処理をキャンセルする前のプレビュー状態を再現できるという効果を奏する。
【００１０】
また、本発明の画像出力装置において、前記プレビュー処理部は、前記出力情報が外部から入力された場合、入力された出力情報に含まれる画像データの画像を前記出力処理にて出力する画像とし、前記処理条件情報に含まれる処理条件を前記出力処理に対して設定した上で、前記プレビュー状態に移行するようになっていてもよい。
【００１１】
この構成によれば、前記出力処理をキャンセルした場合であっても、前記出力情報を前記画像出力装置へ入力するだけで、キャンセル前のプレビュー状態（キャンセル前に設定されていた処理条件を反映させた画像のプレビューを表示させている状態）を再現することが可能になる。
【００１２】
また、秘密性の高い画像を前記外部記憶領域に記憶させると情報漏洩のおそれがある。そこで、本発明の画像出力装置は、前記構成に加えて、前記画像データの画像が秘密性の高い秘密画像であるか否かを判定する秘密性判定部を備えており、前記出力情報処理部は、前記画像データの画像が秘密画像であると前記秘密性判定部に判定された場合、前記記憶処理を実行しないようになっていてもよい。これにより、前述した情報漏洩の虞を抑制できるという効果を奏する。
【００１３】
また、前記画像データが画像出力装置に接続されるリムーバブルメディアから入力された場合であって、前記リムーバルメディアを紛失してしまうと、前記画像データが秘密性の高い画像であれば、情報漏洩のおそれがある。そこで、本発明の画像出力装置においては、前記構成に加えて、前記画像データが画像出力装置に接続されるリムーバブルメディアから入力されたデータである場合、前記出力情報処理部が、前記画像データの画像が秘密画像であると前記秘密性判定部に判定されると、前記リムーバブルメディアに記憶されている前記画像データを消去するようになっていてもよい。これにより、前述した情報漏洩の虞を抑制できるという効果を奏する。
【００１４】
また、本発明の画像出力装置は、前記構成に加えて、前記記憶処理の後に前記画像データの画像が秘密性の高い秘密画像であるか否かを判定する秘密性判定部を備えてもよく、この場合、前記出力情報処理部は、前記画像データの画像が秘密画像であると前記秘密性判定部に判定された場合、前記リムーバブルメディアに記録された前記出力情報を消去するようになっていることが好ましい。これにより、前述した情報漏洩の虞を抑制できるという効果を奏する。
【００１５】
また、本発明の画像出力装置は、秘密であることを示すマークを前記画像データに合成する合成処理を行う合成処理部を備え、前記秘密判定部が、前記合成処理の実行指示の入力を検出した場合、前記画像データの画像が秘密画像であると判定し、前記合成処理の実行指示の入力を検出しない場合、前記画像データの画像が秘密画像でないと判定するようになっていてもよい。
【００１６】
さらに、本発明は、画像データの画像を出力する出力処理を実行する出力処理部と、前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置において、前記出力処理の対象となる画像データと前記画像データを識別するための画像識別情報とを対応付けて記憶する第１記憶部と、前記プレビュー処理の指示が受け付けられた場合、少なくとも前記出力処理の実行前に、前記処理条件を示す処理条件情報と前記画像識別情報とを含む出力情報を、前記画像出力装置の外部の外部記憶領域に記憶させる記憶処理を実行する出力情報処理部とを備えることを特徴とする。
【００１７】
本発明の構成によれば、ユーザは、前記出力処理を一旦キャンセルした後、原稿の再読取や処理条件の再選択等の手間な操作を行わなくても、前記外部記憶領域に記憶された出力情報を画像出力装置に入力するという操作だけで、出力処理に必要になる前記画像データの識別情報や前記処理条件を画像出力装置に入力でき、これによりキャンセル前のプレビュー状態（キャンセル前に設定されていた処理条件を反映させた画像のプレビューを表示させている状態）を再現することが可能になる。つまり、簡易な操作によって、出力処理をキャンセルする前のプレビュー状態を再現できるという効果を奏する。
【００１８】
さらに、本発明の画像出力装置において、前記プレビュー処理部は、前記出力情報が外部から入力された場合、入力された出力情報に含まれる画像識別情報に対応付けられている画像データを前記第１記憶部から読み出し、読み出した画像データの画像を前記出力処理にて出力する画像とし、前記処理条件情報に含まれる処理条件を前記出力処理に対して設定した上で、前記プレビュー状態に移行するようになっていることを特徴とする。
【００１９】
この構成によれば、前記出力処理をキャンセルした場合であっても、前記出力情報を前記画像出力装置へ入力するだけで、キャンセル前のプレビュー状態（キャンセル前に設定されていた処理条件を反映させた画像のプレビューを表示させている状態）を再現することが可能になる。
【００２０】
また、秘密性の高い画像を前記外部記憶領域に記憶させると情報漏洩のおそれがある。そこで、本発明の画像出力装置は、前記構成に加えて、前記画像データの画像が秘密性の高い秘密画像であるか否かを判定する秘密性判定部を備えており、前記出力情報処理部は、前記画像データの画像が秘密画像であると前記秘密性判定部に判定された場合、前記記憶処理を実行しないようになっていてもよい。これにより、前述した情報漏洩の虞を抑制できるという効果を奏する。
【００２１】
また、前記出力情報が画像出力装置に接続されるリムーバブルメディアから入力された場合であって、前記リムーバルメディアを紛失してしまうと、前記画像データが秘密性の高い画像であれば、情報漏洩のおそれがある。そこで、本発明の画像出力装置は、前記構成に加えて、前記プレビュー処理部が、前記複合機に接続されたリムーバブルメディアから前記出力情報を入力した場合、入力された出力情報に含まれる画像識別情報に対応付けられている画像データを前記第１記憶部から読み出し、読み出した画像データの画像を前記出力処理にて出力する画像とし、入力された出力情報に含まれる処理条件情報に示される処理条件を前記出力処理に対して設定した上で、前記プレビュー状態に移行するようになっており、前記出力情報処理部は、前記画像データの画像が秘密画像であると前記秘密性判定部に判定されると、前記リムーバブルメディアに記憶されている出力情報を消去するようになっていてもよい。これにより、前述した情報漏洩の虞を抑制できるという効果を奏する。
【００２２】
また、本発明の画像出力装置は、前記構成に加えて、前記記憶処理の後に前記画像データの画像が秘密性の高い秘密画像であるか否かを判定する秘密性判定部を備えてもよく、この場合、前記出力情報処理部は、前記画像データの画像が秘密画像であると前記秘密性判定部に判定された場合、前記リムーバブルメディアに記録された前記出力情報を消去するようになっていることが好ましい。これにより、前述した情報漏洩の虞を抑制できるという効果を奏する。
【００２３】
また、本発明の画像出力装置は、秘密であることを示すマークを前記画像データに合成する合成処理を行う合成処理部を備え、前記秘密判定部が、前記合成処理の実行指示の入力を検出した場合、前記画像データの画像が秘密画像であると判定し、前記合成処理の実行指示の入力を検出しない場合、前記画像データの画像が秘密画像でないと判定するようになっていてもよい。
【００２４】
また、本発明の画像出力装置において、前記外部記憶領域は前記画像出力装置に接続されるリムーバブルメディアであり、前記出力情報処理部は、前記出力情報を前記リムーバブルメディアに書き込むことによって前記記憶処理を実現するようになっていてもよい。
【００２５】
この構成によれば、ユーザ所有のリムーバブルメディアに前記出力情報を書き込むことにより、前記出力情報の漏洩の危険を抑制できる。
【００２６】
さらに、本発明の画像出力装置は、前記構成に加えて、ユーザ権限を有するユーザを識別するユーザ識別情報を予め記憶する記憶部（第２記憶部）と、前記画像出力装置が前記リムーバブルメディアにアクセス可能になると、前記リムーバブルメディアからユーザ識別情報を読み出し、読み出したユーザ識別情報と前記記憶部に記憶されているユーザ識別情報とに基づき、ユーザ権限の有無を判定する認証処理部とを備え、前記出力情報処理部は、前記認証処理部によってユーザ権限無と判定された場合に前記記憶処理を行わず、前記認証処理部によってユーザ権限有と判定された場合に前記記憶処理を行うようになっていてもよい。
【００２７】
本発明の構成によれば、ユーザ権限有と判定されない限り、前記リムーバブルメディアに前記出力情報が書き込まれることがないので、前記出力情報の漏洩をより一層抑制できるという効果を奏する。
【００２８】
前記出力処理がキャンセルされずに前記出力処理が実行された場合は前記記憶処理が不要になる。そこで、本発明の画像出力装置において、前記出力情報処理部は、プレビューの指示が受け付けられ、且つ前記出力処理をキャンセルする指示が受け付けられた場合に、前記記憶処理を行うようになっていてもよい。あるいは、前記出力情報処理部は、前記出力処理が完了した事を検知すると、前記リムーバブルメディアに記憶されている前記出力情報を消去するようになっていてもよい。
【００２９】
また、本発明の画像出力装置は、前記構成に加えて、ユーザを識別するユーザ識別情報と前記外部記憶領域のアドレスとの対応関係を予め記憶する記憶部（第３記憶部）と、外部からユーザ識別情報が入力されると、入力されたユーザ識別情報と一致するユーザ識別情報に対応付けられているアドレスを前記記憶部（第３記憶部）から検出するアドレス検出部とを備え、前記出力情報処理部は、プレビューの指示が受け付けられ、且つ前記出力処理をキャンセルする指示が受け付けられた場合に、前記記憶処理を行うようになっており、前記記憶処理は、前記アドレス検出部にて検出されたアドレスに対応する外部記憶領域に前記出力情報を送信して記憶する処理であってもよい。
【００３０】
この構成によれば、前記出力情報は、記憶部に予め登録されているユーザに対応付けられているアドレスに送信されるため、前記出力情報の漏洩の危険を抑制できる。
【００３１】
また、本発明の画像出力装置において、前記出力処理は前記画像データの画像を印刷する印刷処理であり、前記出力処理部は印刷装置であってもよい。
【００３２】
また、本発明は、画像データの画像を出力する出力処理を実行する出力処理部と、前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置の制御方法において、前記プレビューの指示が受け付けられた場合、少なくとも前記出力処理の実行前に、前記処理条件を示す処理条件情報と前記画像データとを含む出力情報を、前記画像出力装置の外部の外部記憶領域に記憶させる工程を含むことを特徴とする。さらに、本発明は、画像データの画像を出力する出力処理を実行する出力処理部と、前記出力処理の実行前にプレビューの指示を受け付けた場合、前記出力処理に対して設定されている画像処理の処理条件を反映させた前記画像のプレビューを表示部に表示させるプレビュー状態に移行するプレビュー処理部とを備える画像出力装置の制御方法において、前記出力処理の対象となる画像データと前記画像データを識別するための画像識別情報とを対応付けて第１記憶部に記憶させる工程と、前記プレビュー処理の指示が受け付けられた場合、少なくとも前記出力処理の実行前に、前記処理条件を示す処理条件情報と前記画像識別情報とを含む出力情報を、前記画像出力装置の外部の外部記憶領域に記憶させる工程とを含むことを特徴とする。これにより、出力処理をキャンセルする場合であっても、簡易な操作によって、出力処理をキャンセルする前のプレビュー状態を再現できるという効果を奏する。
【００３３】
さらに、本発明の画像出力装置の出力情報処理部はコンピュータによって実現されてもよく、この場合には、コンピュータを出力情報処理部として機能させる制御プログラム、および、この制御プログラムを記録したコンピュータ読み取り可能な記録媒体も、本発明の範疇に入る。
【発明の効果】
【００３４】
本発明は、出力処理をキャンセルする場合であっても、簡易な操作によって、出力処理をキャンセルする前のプレビュー状態を再現できるという効果を奏する。
【図面の簡単な説明】
【００３５】
【図１】本発明の実施形態の複合機を模式的に示した正面図である。
【図２】図１に示す複合機および当該複合機に挿入されるＩＣカードの概略構成を示したブロック図である。
【図３】図１に示す複合機の処理の流れを示したフローチャートである。
【図４】図１に示す複合機の表示部にて表示される操作用の画面の一例を示す模式図である。
【図５】図１に示す複合機の表示部にて表示される画面であり、印刷画像のプレビューを示したプレビュー確認用画面の一例を示す模式図である。
【図６】図１に示す複合機の処理の流れを示したフローチャートであり、図３とは異なる処理の流れを示したフローチャートである。
【図７】図１に示す複合機の表示部にて表示される画面であり、印刷情報がＩＣカードに保存されたことをユーザに通知するための画面である。
【図８】本実施形態の変形例の複合機を示したブロック図であり、コピーモード且つフルカラーモードにて印刷処理を行う際の画像データの流れを示したブロック図である。
【図９】（ａ）は、変形例において、コピーモード且つシングルカラーモードにて印刷処理が行われる際の画像処理装置内の一部を示したブロック図である。（ｂ）は、変形例において、コピーモード且つ２色カラーモードにて印刷処理が行われる際の画像処理装置内の一部を示したブロック図である。
【図１０】変形例の複合機を示したブロック図であり、コピーモード且つフルカラーモードにてプレビュー表示処理を行う際の画像データの流れを示したブロック図である。
【図１１】（ａ）は、変形例において、コピーモード且つシングルカラーモードにてプレビュー表示が行われる際の画像処理装置内の一部を示したブロック図である。（ｂ）は、変形例において、コピーモード且つ２色カラーモードにてプレビュー表示が行われる際の画像処理装置内の一部を示したブロック図である。
【図１２】（ａ）は、表示部の表示特性に応じたガンマ曲線の一例を示した図である。（ｂ）は、文字をくっきりと表示させるためのガンマ曲線を実線で示し、表示部の表示特性に応じたガンマ曲線を破線で示した図である。
【図１３】変形例の複合機を示したブロック図であり、図８の構成とは異なる構成の複合機を示したブロック図である。
【図１４】実施の形態５または６の複合機の概略構成を示したブロック図である。
【図１５】秘密画像の一例を示した模式図である。
【図１６】実施の形態５または６の複合機の処理の流れを示したフローチャートである。
【発明を実施するための形態】
【００３６】
[実施の形態１]
以下、本発明の一実施形態について詳細に説明する。図１は、本実施形態の複合機５０の概略構成を模式的に示した正面図であり、図２は、本実施形態の複合機５０、および、複合機５０に着脱されるＩＣカード（integrated circuit card）６０の概略構成を示したブロック図である。
【００３７】
複合機（ＭＦＰ）５０は、画像データの画像を出力する出力処理を実行する画像出力装置である。なお、本実施形態では、出力の一形態として印刷を例にして説明する。つまり、本実施形態の印刷処理は出力処理の一形態である。そして、本実施形態の複合機５０は、画像入力装置５１にて読み取られた画像データの画像を印刷することも可能であるし、外部の端末装置（不図示）から受信した画像データの画像を印刷処理することも可能であるし、リムーバブルメディアから画像データを入力して、この画像データの画像を印刷することも可能である。
【００３８】
複合機５０は、図１および図２に示すように、画像入力装置５１、画像処理装置５２、印刷装置５３、記憶装置５４、カードスロット５５、リーダライタ５６、通信部５７、操作パネル５８、制御部５９を有する。
【００３９】
画像入力装置５１は、原稿台に載置されている原稿を読み取って、当該原稿の画像を示した画像データを生成する装置である。より具体的に説明すると、画像入力装置５１は、原稿台と、ＣＣＤ（Charge Coupled Device）を含むスキャナ部とを有し、スキャナ部によって、原稿から反射してきた光を画像データ（画像信号）に変換する。
【００４０】
画像処理装置５２は、複合機５０の外部から入力した画像データや画像入力装置５１にて生成された画像データに対して画像処理を施す集積回路であり、ＡＳＩＣ（Application specific integrated circuit）から構成されるものである。
【００４１】
印刷装置５３は、電子写真方式のデジタルカラー印刷装置であり、画像処理装置５２にて画像処理の施された後の画像データの画像を用紙（シート）に印刷（出力）するものである。
【００４２】
記憶装置５４は、複合機５０に内蔵されているハードディスクであり、複合機５０にて扱われる各種データを記憶するための記憶手段である。また、記憶装置５４には、複合機５０の使用権限を有するユーザに固有のユーザＩＤ（識別情報）が登録されている。
【００４３】
カードスロット５５は、ＩＣカード６０の挿入口である。つまり、本実施形態の複合機５０は、リムーバブルメディアであるＩＣカード６０を装着可能であり、且つ、装着したＩＣカード６０を再び取り外すことが可能になっている。
【００４４】
リーダライタ５６は、カードスロット５５に挿入されているＩＣカード６０に保存されている情報を読み出し、且つ、カードスロット５５に挿入されているＩＣカード６０へ情報を書き込むための装置である。
【００４５】
なお、図２に示すように、ＩＣカード６０は、個人情報記憶領域６０ａおよび印刷情報記憶領域６０ｂを有している。個人情報記憶領域６０ａは、ＩＣカード６０を所有するユーザのユーザＩＤが保存されている記憶領域である。印刷情報記憶領域６０ｂは、画像データと画像処理パラメータとからなる印刷情報が複合機５０によって書き込まれる記憶領域である。印刷情報に含まれる画像データとは、印刷処理に用いるために複合機５０に入力された画像データであり、画像処理パラメータとは、当該印刷処理に対して設定されている画像処理の処理条件を示す情報（値）である。印刷情報をＩＣカード６０へ書き込む点については後に詳述する。
【００４６】
通信部５７は、ＬＡＮやインターネット等の通信ネットワークに接続されており、通信ネットワークを経由して外部装置との間で通信を実行する通信インターフェイスである。
【００４７】
操作パネル５８は、ユーザが複合機５０を操作するための各種指示（コマンド）を入力し、各種設定を行うためのユーザインターフェイスである。操作パネル５８には、入力および設定のためのボタン群と表示部５８ａとが備えられている。
【００４８】
表示部５８ａは、カラー画像の表示が可能な液晶ディスプレイであり、複合機５０に関する各種情報を表示するものである。また、表示部５８ａは、タッチパネルが取り付けられており、入力インターフェイスとしての機能も有している。つまり、表示部５８ａは、複合機５０に対して各種指示の入力を行うためのメニュー画面、各種設定を行うための設定画面、操作ガイド等を表示するものである。
【００４９】
また、ユーザによってプレビューモードが設定されている場合、表示部５８ａは、印刷処理が行われる前に、印刷処理に対して設定されている処理条件による画像処理を反映させた画像のプレビューを表示するようになっている。つまり、表示部５８ａは、印刷処理の実行命令の入力前に、ユーザからの入力指示によって設定された処理条件、または、初期設定されている処理条件に基づく画像処理を反映させた画像のプレビューを表示するようになっている。
【００５０】
そして、複合機５０のユーザは、表示部５８ａに表示されているプレビューから印刷結果を予想し、必要に応じて、操作パネル５８を操作することによって、各種画像処理の処理条件の調整作業（再設定作業）を行う。調整された処理条件は表示部５８ａに表示されるプレビューに反映される。そして、プレビューから予想される印刷結果が許容できるもの、あるいは満足できるものとなった場合、利用者は印刷実行コマンドを入力し、これにより印刷処理が実行される。
【００５１】
なお、前記の処理条件とは、複写モード，プリンタモード，送信モードなどのモードの種類、フルカラー、２色カラー、シングルカラーなどの出力カラーの種類、文字原稿、文字印刷写真原稿などの原稿種類、明るさや鮮やかさ等の画質レベル、印刷画像の拡大縮小率、レイアウト等を意味する。ユーザからの指示で処理条件が調整されている場合は調整された処理条件が設定され、調整されていない場合は初期設定されている処理条件が設定される。
【００５２】
制御部５９は、ＣＰＵ（Central Processing Unit）あるいはＤＳＰ（Digital Signal Processor）等のプロセッサを含むコンピュータから構成されるものであり、複合機５０に備えられる各装置の制御を行い、且つ、複合機５０に備えられる各装置間のデータ転送を行うものである。
【００５３】
以上示した複合機５０においては以下のようにして印刷処理が実行される。なお、以下では、画像入力装置５１にて読み取られた画像データの画像を印刷する場合を例にして説明する。
【００５４】
まず、ユーザが自己のＩＣカード６０をカードスロット５５に挿入する。複合機５０は、カードスロット５５にＩＣカード６０が挿入されたことを検知すると、このＩＣカード６０に記憶されているユーザＩＤに基づいて認証処理を行う。そして、認証処理にてユーザ権限が認められたユーザのみが複合機５０を操作でき、ユーザ権限が認められないユーザは複合機５０を操作できない。
【００５５】
その後、ユーザが画像入力装置５１に原稿を載置して、プレビューモードを選択せず、通常印刷の指示を入力すると、画像入力装置５１が原稿を読み取って画像データを生成し、当該画像データが記憶装置５４に一旦記憶される。その後、画像処理装置５２が、記憶装置５４から画像データを入力し、設定されている処理条件に応じた画像処理を当該画像データに施し、画像処理装置５２による処理後の画像データの画像が印刷装置５３によって印刷されることになる。つまり、この場合、プレビュー表示が行われることなく印刷処理が実行される。
【００５６】
これに対し、ユーザが画像入力装置５１に原稿を載置して、通常印刷の指示を入力せず、プレビューモードを選択すると（図４のプレビュー確認ボタン５００が押されると）、プレビュー処理が開始されることになる。具体的に、プレビューモードが選択されると（プレビューの指示が入力されると）、画像入力装置５１が原稿を読み取って画像データを生成し、当該画像データが記憶装置５４に一旦記憶され、その後、画像処理装置５２が、記憶装置５４から画像データを入力し、印刷処理に対して設定されている処理条件に応じた画像処理を当該画像データに反映した上で、当該画像データを表示用の画像データに変換する。そして、表示用の画像データの画像（プレビュー）が表示部５８ａに表示される。その後、利用者が印刷実行コマンドを入力すると、記憶装置５４から画像データが読み出され、設定されている処理条件に応じた画像処理が当該画像データに施され、印刷処理が実行される。
【００５７】
また、本実施形態では、プレビューモードが選択される場合、画像入力装置５１から入力した画像データ、および、印刷処理に対して設定される処理条件を示す画像処理パラメータが、記憶装置５４のみならず、カードスロット５５に挿入されているＩＣカード６０に書き込まれるようになっている。具体的には、画像入力装置５１によって原稿が読み取られると、画像入力装置５１から入力された画像データと画像処理パラメータとからなる印刷情報が、記憶装置５４およびＩＣカード６０の各々に書き込まれることになる。なお、本実施形態において、前記印刷情報に含まれる画像データは、前記印刷情報に含まれる画像処理パラメータによる画像処理が施される前の画像データである。
【００５８】
さらに、プレビューが表示されている間、利用者によって前記処理条件が調整される度に、記憶装置５４およびＩＣカード６０の各々に記憶されている印刷情報に含まれている画像処理パラメータが調整後の処理条件を示す内容に更新される。
【００５９】
また、本実施形態では、プレビューが表示されており印刷処理の実行指示の入力前にカードスロット５５からＩＣカード６０が抜き出された場合、印刷処理がキャンセルされるようになっている（つまり、記憶装置５４の印刷情報は消去され、表示部５８ａのプレビュー表示も終了する）。
【００６０】
但し、利用者が、前記印刷情報の記憶されたＩＣカード６０を再度カードスロット５５に挿入した場合、ＩＣカード６０から印刷情報が読み出され、印刷情報に含まれる画像データの画像が印刷処理の対象として設定され、印刷情報に含まれる画像処理パラメータが前記印刷処理に対して設定され、この画像処理パラメータに基づく画像処理を反映させた画像のプレビューが表示部５８ａに表示されるようになっている。その後、利用者が印刷実行指示を入力すると印刷処理が実行される。
【００６１】
これにより、ユーザは、ＩＣカード６０をカードスロット５５から抜き出すことによって印刷処理を一旦キャンセルしても、ＩＣカード６０を再度カードスロット５５へ挿入すれば、キャンセル前のプレビューの状態（キャンセル前に設定されていた処理条件に基づく画像処理を反映させた画像のプレビューを表示させている状態）を再現することが可能になる。つまり、原稿の読み取りや処理条件の再設定といった手間な作業を行わなくても、簡易な操作（ＩＣカード６０の挿入）によって、印刷処理をキャンセルする前のプレビューの状態を再現でき、印刷処理をキャンセルする前の状態から前記印刷処理の設定作業を再開できる。
【００６２】
以上示したプレビュー処理、ＩＣカード６０に対して印刷情報を書き込む処理、および、ＩＣカード６０から印刷情報を読み出す処理は制御部５９によって実現されるものであるので、次に制御部５９を詳細に説明する。
【００６３】
図２に示すように、制御部５９は、認証処理部５９ａ、印刷制御部５９ｂ、プレビュー処理部５９ｃ、印刷情報処理部５９ｄ、アドレス検出部５９ｅを備えている。
【００６４】
認証処理部５９ａは、図示しないセンサによってカードスロット５５にＩＣカード６０が挿入されたことを検出すると、ＩＣカード６０に記憶されているユーザＩＤに基づいて認証処理を行う。具体的に、認証処理は以下のようにして行われる。複合機５０の記憶装置５４には、ユーザ権限を有するユーザを識別するユーザＩＤが予め登録（記憶）されている。そして、認証処理部５９ａは、カードスロット５５にＩＣカード６０が挿入されたことを検出すると、リーダライタ５６を制御することによって、ＩＣカード６０の個人情報記憶領域６０ａからユーザＩＤを読み出す。つぎに、認証処理部５９ａは、ＩＣカード６０から読み出したユーザＩＤと一致するユーザＩＤが記憶装置５４に記憶されているか否かを判定する。
【００６５】
そして、認証処理部５９ａは、ＩＣカード６０から読み出したユーザＩＤと一致するユーザＩＤが記憶装置５４に記憶されていると判定した場合、ユーザ権限有と認定し、操作パネル５８から入力されるコマンドや情報を有効なものとして扱う。これに対し、認証処理部５９ａは、ＩＣカード６０から読み出したユーザＩＤと一致するユーザＩＤが記憶装置５４に記憶されていないと判定した場合、ユーザ権限有と認定せず、操作パネル５８から入力されるコマンドや情報を全て無効なものとして扱う。つまり、認証処理にてユーザ権限が認められたユーザのみが複合機５０を操作でき、ユーザ権限が認められないユーザは複合機５０を操作できない。
【００６６】
印刷制御部５９ｂは、操作パネル５８からの指示に応じて、画像を印刷する処理を印刷装置５３に実行させるブロックである。
【００６７】
プレビュー処理部５９ｃは、プレビューの指示が入力された場合、印刷処理に対して設定されている処理条件に応じた画像処理を反映させた画像のプレビューを表示部５８ａに表示させる処理を行うようになっている。具体的に、プレビュー処理部５９ｃは、記憶装置５４に記憶されている印刷情報に含まれている画像データを読み出し、画像処理装置５２を制御して当該画像データに画像処理を施す。そして、プレビュー処理部５９ｃは、当該画像データを表示部５８ａに入力して、この画像データの画像をプレビューとして表示部５８ａに表示させる。
【００６８】
印刷情報処理部５９ｄは、プレビューの指示が入力された場合、リーダライタ５６を介してＩＣカード６０の印刷情報記憶領域６０ｂにアクセスし、印刷情報記憶領域６０ｂに印刷情報が記憶されているか否かを判定する。
【００６９】
印刷情報処理部５９ｄは、印刷情報記憶領域６０ｂに印刷情報が記憶されていると判定した場合、この印刷情報を読み出して記憶装置５４に書き込むようになっている。
【００７０】
これに対し、印刷情報処理部５９ｄは、印刷情報記憶領域６０ｂに印刷情報が記憶されていないと判定した場合、画像入力装置１０１に原稿の読み取りを実行させる。そして、印刷情報処理部５９ｄは、画像入力装置１０１によって生成される画像データと初期設定されている処理条件を示す画像処理パラメータとを含む印刷情報を記憶装置５４に書き込み、且つ、リーダライタ５６を介してＩＣカード６０にアクセスし、印刷情報記憶領域６０ｂに印刷情報を書き込むようになっている。
【００７１】
さらに、印刷情報処理部５９ｄは、印刷処理に対して設定される処理条件が利用者によって調整される度、記憶装置５４およびＩＣカードの各々に書き込まれている印刷情報に含まれる画像処理パラメータを、調整後の処理条件に応じたものに更新する。
【００７２】
また、印刷情報処理部５９ｄは、印刷処理が実行されると、記憶装置５４から印刷情報を消去し、且つ、リーダライタ５６を制御してＩＣカード６０の印刷情報記憶領域６０ｂから印刷情報を消去するようになっている。
【００７３】
さらに、印刷情報処理部５９ｄは、プレビュー表示中にＩＣカード６０がカードスロット５５から抜き出された場合、印刷処理をキャンセルし、記憶装置５４から印刷情報を消去するようになっている。
【００７４】
アドレス検出部５９ｅは、本実施の形態では処理を実行せず、後述する実施の形態３にて処理を実行するものであるため、ここでは説明せず実施の形態３にて説明する。
【００７５】
つぎに、本実施形態の複合機５０にて実行される印刷処理の流れを図３に基づいて説明する。なお、以下では、画像入力装置５１にて生成された画像データの画像を印刷する処理（つまり複写処理）を例にして説明する。
【００７６】
まず、ユーザがＩＣカード６０をカードスロット５５に挿入すると、認証処理部５９ａは、リーダライタ５６を介してＩＣカード６０からユーザＩＤを読み取り、このユーザＩＤに基づいて認証処理（個人認証）を行う（Ｓ１０１）。
【００７７】
認証処理部５９ａは、Ｓ１０１の認証処理においてユーザ権限有と判定した場合（Ｓ１０２にてＹＥＳ）、ユーザによる操作が可能な状態へと複合機５０を移行させる。すなわち、表示部５８ａには、図４に示すような操作用のメニュー画面が表示され、利用者による各種指示の入力が可能になる。
【００７８】
これに対し、認証処理部５９ａは、Ｓ１０１の認証処理においてユーザ権限無と判定さした場合（Ｓ１０２にてＮＯ）、その後のユーザによる指示の入力を一切受け付けず、処理を終了する。
【００７９】
Ｓ１０１の認証処理においてユーザ権限有と判定された後、ユーザが、プレビューモードを指定せず、通常印刷の指示を入力すると、プレビュー表示の無い通常印刷処理が行われ、処理が終了する（Ｓ１０３にてＮＯ）。つまり、この場合、画像入力装置５１が原稿の読み取りを行って画像データを生成し、プレビュー表示が行われること無く、印刷装置５３が当該画像データの画像の印刷を行う。
【００８０】
なお、本実施形態では、操作パネル５８のスタートボタンが押されることによって通常印刷の指示が複合機５０に入力されるようになっている。
【００８１】
これに対し、Ｓ１０１の認証処理においてユーザ権限有と判定された後、ユーザが、プレビューモードを選択すると（Ｓ１０３にてＹＥＳ）、印刷情報処理部５９ｄが、ＩＣカード６０にアクセスし、ＩＣカード６０に印刷情報が記憶されているか否かを判定する（Ｓ１０４）。つまり、以前に印刷処理をキャンセル（中断）した場合はキャンセルした印刷処理に関する印刷情報がＩＣカード６０に記憶されていることから、Ｓ１０４では、以前にキャンセルされた印刷処理に関する印刷情報がＩＣカード６０に保存されているか否かを判定しているのである。
【００８２】
なお、本実施形態では、図４に示されているプレビュー確認ボタン５００が選択されることによってプレビューモードが選択（指定）されるようになっている。
【００８３】
印刷情報処理部５９ｄは、Ｓ１０４においてＩＣカード６０に印刷情報が記憶されていると判定した場合、ＩＣカード６０から印刷情報を読み出し（Ｓ１０６）、この印刷情報を記憶装置５４に記憶させる。なお、Ｓ１０６の次のステップはＳ１０８である。
【００８４】
これに対し、Ｓ１０４においてＩＣカード６０に印刷情報が記憶されていないと判定された場合、印刷情報処理部５９ｄは画像入力装置５１に原稿の読み取りを行わせる（Ｓ１０５）。なお、Ｓ１０５においては、画像入力装置５１にて画像データが生成されると、印刷情報処理部５９ｄが、生成された画像データと初期設定されている処理条件を示す画像処理パラメータとを含めた印刷情報を記憶装置５４に記憶するようにもなっている。
【００８５】
Ｓ１０５の後、印刷情報処理部５９ｄは、記憶装置５４に記憶された印刷情報と同じ印刷情報をＩＣカード６０に書き込む（Ｓ１０７）。なお、Ｓ１０７の次のステップはＳ１０８である。
【００８６】
Ｓ１０８において、プレビュー処理部５９ｃは、プレビュー用の画像データを生成するようになっている。具体的に、プレビュー処理部５９ｃは、記憶装置５４に記憶された印刷情報に含まれる画像データを、印刷処理にて印刷される画像の画像データとして設定する。そして、プレビュー処理部５９ｃは、画像処理装置５２を制御して、当該画像データに対して、印刷情報に含まれる画像処理パラメータに示される処理条件による画像処理を施し、当該画像データをプレビュー用（表示用）の画像データに変換するようになっている。
【００８７】
その後、プレビュー処理部５９ｃは、Ｓ１０８にて生成されたプレビュー用の画像データに基づいて、印刷画像のプレビューを表示部５８ａに表示させるようになっている（Ｓ１０９）。本実施形態では、図５に示すように、プレビューを示したプレビュー確認用画面が表示部５８ａに表示されることになる。
【００８８】
表示部５８ａにてプレビューが表示されると、ユーザから画像処理の処理条件の調整の指示が操作パネル５８を介して入力されることがある。ここで、処理条件の調整が行われた場合（Ｓ１１０にてＹＥＳ）、印刷情報処理部５９ｄは印刷情報に含まれる画像処理パラメータの更新を行う（Ｓ１１１）。具体的に説明すると、Ｓ１１１において、印刷情報処理部５９ｄは、記憶装置５４およびＩＣカード６０の各々に記憶されている印刷情報に含まれる画像処理パラメータを、調整後の処理条件に合致した内容になるように書き換えるようになっている。
【００８９】
また、処理条件の調整が行われると、プレビュー処理部５９ｃは、表示部５８ａにて表示されているプレビューに対して調整後の処理条件を反映させる（つまり、調整後の処理条件の画像処理を画像データに施し、この画像データの画像のプレビューを表示部５８ａに表示させる）。
【００９０】
そして、操作パネル５８から印刷実行指示が入力されると（Ｓ１１２にてＹＥＳ）、印刷制御部５９ｂは印刷装置５３に印刷処理を実行させる（Ｓ１１３）。具体的に、印刷制御部５９ｂは、記憶装置５４から印刷情報に含まれる画像データを読み出し、画像処理装置５２を制御することによって、印刷実行指示の入力時点で設定されている処理条件（印刷情報の処理条件）に基づく画像処理を前記画像データに施し、この画像データの画像を印刷する処理を印刷装置５３に実行させる。
【００９１】
なお、本実施形態では、図５に示されているコピー開始ボタン５５０が選択されることによって印刷実行指示が入力されるようになっている。
【００９２】
また、表示部５８ａにてプレビューが表示されている間、印刷情報処理部５９ｄは、印刷対象の全ての画像データの画像に対する印刷処理が完了したか否かを判定している（Ｓ１１４）。
【００９３】
印刷情報処理部５９ｄは、Ｓ１１４にて印刷処理が完了したと判定した場合、ＩＣカード６０に記憶されている印刷情報を消去して（Ｓ１１５）、処理をＳ１１７に移行する。
【００９４】
Ｓ１１７において、印刷情報処理部５９ｄは、記憶装置５４に記憶されている印刷情報を消去して、全ての処理を完了する。これにより、表示部５８ａに表示されているプレビューは消去され、表示部５８ａには初期画面が表示されることになる。
【００９５】
また、Ｓ１１４において、印刷情報処理部５９ｄは、印刷処理が完了していないと判定した場合、さらにＩＣカード６０がカードスロット５５に挿入されているか否かを判定する（Ｓ１１６）。
【００９６】
そして、ＩＣカード６０がカードスロット５５に挿入されていると判定された場合（Ｓ１１６にてＹＥＳ）、Ｓ１１０以降の処理が繰り返される。つまり、印刷処理が完了しておらず、且つ、ＩＣカード６０がカードスロット５５に挿入されたままの場合、印刷画像のプレビューを表示し、印刷実行指示を待機する状態が維持される。
【００９７】
これに対し、ＩＣカード６０がカードスロット５５に挿入されていないと判定された場合（Ｓ１１６にてＮＯ）、印刷情報処理部５９ｄは、実行命令待機中の印刷処理をキャンセルし、記憶装置５４に記憶されている印刷情報を消去して（Ｓ１１７）、全ての処理を完了する。これにより、印刷処理が完了してない状態にてＩＣカード６０がカードスロット５５から抜き出された場合（Ｓ１１６にてＮＯ）、印刷処理がキャンセル（中止）され、且つ、表示部５８ａに表示されているプレビューも消去され、表示部５８ａには初期画面が表示されることになる。
【００９８】
但し、抜き出されたＩＣカード６０には印刷情報が記憶されているので、後にユーザがＩＣカード６０をカードスロット５５に挿入することによって、ＩＣカード６０に記憶されている印刷情報が読み出され（Ｓ１０４にてＹＥＳ，Ｓ１０６）、当該印刷情報の画像データが印刷対象とされ、当該印刷情報に含まれる画像データに基づくプレビューが表示されるため、キャンセル前の状態（プレビューが表示されている状態）を再現できることになる。
【００９９】
つまり、図３の処理によれば、利用者は、ＩＣカード６０を抜き出すことで印刷処理を一旦キャンセルしても、ＩＣカード６０に印刷情報が記憶されているため、ＩＣカード６０に記憶されている印刷情報を複合機５０に読み込ませることで、中断前の状態から印刷処理の設定作業（プレビュー表示）を再開できる。
【０１００】
また、ＩＣカード６０を抜き出すことで印刷処理がキャンセルされた場合、記憶装置５４の印刷情報が消去され、且つ、表示部５８ａのプレビューが消去されて初期画面を表示するようになっているため、一旦キャンセルした印刷処理に関するデータが他人に漏洩してしまうことを抑制できる。
【０１０１】
以上示したように、本実施形態の複合機５０は、画像データの画像を印刷する印刷処理を実行する印刷装置（出力処理部）５３と、前記印刷処理の実行前にプレビューの指示を受け付けた場合、前記印刷処理に対して設定されている画像処理の処理条件を反映させた前記画像のプレビューを表示部５８ａに表示させるプレビュー状態に移行するプレビュー処理部５９ｃと、前記プレビューの指示が受け付けられた場合、少なくとも前記印刷処理の実行前に、前記処理条件を示す画像処理パラメータと前記画像データとを含む印刷情報（出力情報）を、複合機５０の外部の外部記憶領域（ＩＣカード６０）に記憶させる記憶処理を実行する印刷情報処理部５９ｄとを備えている。
【０１０２】
これにより、ユーザは、前記印刷処理を一旦キャンセルした後、原稿の再読取や処理条件の再選択等の手間な操作を行わなくても、ＩＣカード６０に記憶された印刷情報を複合機５０に入力するという操作だけで、印刷処理に必要な画像データや前記処理条件を複合機５０に入力でき、これによりキャンセル前のプレビュー状態（キャンセル前に設定されていた処理条件を反映させた画像のプレビューを表示させている状態）を再現することが可能になる。つまり、簡易な操作によって、印刷処理をキャンセルする前のプレビュー状態を再現できるという効果を奏する。
【０１０３】
また、本実施形態の複合機５０は、ユーザ権限を有するユーザを識別するユーザＩＤ（ユーザ識別情報）を予め記憶する記憶装置（記憶部）５４と、複合機５０がＩＣカード６０にアクセス可能になると、ＩＣカード６０からユーザＩＤを読み出し、読み出したユーザＩＤと記憶装置５４に記憶されているユーザ識別情報とに基づき、ユーザ権限の有無を判定する認証処理部５９ａとを備えている。そして、印刷情報処理部５９ｄは、認証処理部５９ａによってユーザ権限無と判定された場合に前記記憶処理を行わず、認証処理部５９ａによってユーザ権限有と判定された場合に前記記憶処理を行うようになっている。これにより、ユーザ権限有と判定されない限り、前記リムーバブルメディアに前記出力情報が書き込まれることがないので、前記印刷情報の漏洩を抑制できるという効果を奏する。
【０１０４】
さらに、本実施形態において、印刷情報処理部５９ｄは、印刷処理が完了したことを検知するとＩＣカード６０に記憶された印刷情報を消去している。つまり、印刷処理が完了すると印刷情報は不要であるので、ＩＣカード６０から消去しているのである。また、これにより、ＩＣカード６０における印刷情報の有無により、ユーザは中断したままの状態の印刷処理の有無を確認できるという利点もある。
【０１０５】
[実施の形態２]
実施の形態１ではＩＣカード６０が抜き出された場合に印刷処理がキャンセルされるようになっているが、本実施形態では、図５の中断ボタン（キャンセルボタン）６００が押された場合に、印刷処理がキャンセルされると共にプレビューの表示も終了し、キャンセルされた印刷処理に関する印刷情報がＩＣカード６０に書き込まれるようになっている。以下、本実施の形態について説明する。なお、実施の形態２においては、実施の形態１と共通する点については説明を省略し、実施の形態１との相違点のみを説明する。
【０１０６】
図２に示す制御部５９に含まれる各ブロックのうち、認証処理部５９ａ、印刷制御部５９ｂ、プレビュー処理部５９ｃにて実行される処理内容は実施の形態１と同様であるので省略する。また、アドレス検出部５９ｅは、本実施形態では処理を実行せず、実施の形態３で処理を実行するものであるため、ここではその説明を省略する。
【０１０７】
印刷情報処理部５９ｄの処理内容については実施の形態１と若干異なる点があるため、以下詳細に説明する。
【０１０８】
まず、印刷情報処理部５９ｄは、プレビューモードが選択された場合、リーダライタ５６を介してＩＣカード６０の印刷情報記憶領域６０ｂにアクセスし、印刷情報記憶領域６０ｂに印刷情報が記憶されているか否かを判定する。この点については実施の形態１と同様である。
【０１０９】
本実施形態では、印刷情報処理部５９ｄは、印刷情報記憶領域６０ｂに印刷情報が記憶されていないと判定した場合、画像入力装置１０１に原稿の読み取りを実行させ、画像入力装置１０１によって生成される画像データと初期設定されている処理条件を示す画像処理パラメータとを含む印刷情報を記憶装置５４に書き込むようになっているが、中断ボタン６００が押されていない以上はＩＣカード６０の印刷情報記憶領域６０ｂに印刷情報を書き込まない。
【０１１０】
また、本実施形態では、印刷情報処理部５９ｄは、印刷情報記憶領域６０ｂに印刷情報が記憶されていると判定した場合、この印刷情報を読み出して記憶装置５４に書き込んだ上で、印刷情報記憶領域６０ｂから印刷情報を消去するようになっている。
【０１１１】
そして、印刷情報処理部５９ｄは、印刷処理に対して設定される処理条件が利用者によって調整される度、記憶装置５４に書き込まれている印刷情報に含まれる画像処理パラメータを、調整後の処理条件に応じたものに更新する。
【０１１２】
さらに、印刷情報処理部５９ｄは、プレビュー表示中に中断ボタン６００が押された場合（印刷処理がキャンセルされた場合）、印刷処理をキャンセルし、記憶装置５４に記憶されている印刷情報をＩＣカード６０の印刷情報記憶領域６０ｂに書き込んだ上で、記憶装置５４の印刷情報を消去するようになっている。
【０１１３】
なお、印刷処理が実行された後に印刷情報処理部５９ｄが記憶装置５４から印刷情報を消去するようになっている点は実施形態１と同様である。
【０１１４】
つぎに、本実施形態の複合機５０にて実行される印刷処理（複写処理）の流れを図６に基づいて説明する。図６に示されるＳ２０６〜Ｓ２０５は、図３のＳ１０１〜１０６と同様の内容であるため、その説明を省略する。
【０１１５】
Ｓ２０６において印刷情報処理部５９ｄがＩＣカード６０から印刷情報を読み出し、この印刷情報が記憶装置５４に書き込まれると、ＩＣカード６０に記憶されている当該印刷情報は印刷情報処理部５９ｄによって消去される（Ｓ２０７）。なお、Ｓ２０７の次のステップはＳ２０８であり、Ｓ２０５の次のステップもＳ２０８である。
【０１１６】
また、図６に示されるＳ２０８〜Ｓ２１３は図３のＳ１０８〜Ｓ１１３とほぼ同様の内容であるため、その説明を省略する。なお、異なる点は、Ｓ１１１では、記憶装置５４およびＩＣカード６０の各々に記憶されている印刷情報に含まれる画像処理パラメータが更新されるようになっているが、Ｓ２１１では、記憶装置５４に記憶されている印刷情報に含まれる画像処理パラメータが調整後の処理条件に合致した内容になるように更新される点である。これは、Ｓ１０８〜Ｓ１１３では印刷情報は記憶装置５４およびＩＣカード６０の各々に記憶されているが、Ｓ２０８〜Ｓ２１３では印刷情報は記憶装置５４にしか記憶されていないことに起因する。
【０１１７】
そして、本実施形態においても、実施の形態１と同様、表示部５８ａにてプレビューが表示されている間、印刷情報処理部５９ｄは、印刷対象の全ての画像データの画像に対する印刷処理が完了したか否かを判定している（Ｓ２１４）。
【０１１８】
印刷情報処理部５９ｄは、Ｓ２１４にて印刷処理が完了したと判定した場合、記憶装置５４に記憶されている印刷情報を消去して（Ｓ２１９）、全ての処理を完了する。これにより、表示部５８ａに表示されているプレビューは消去され、表示部５８ａには初期画面が表示されることになる。
【０１１９】
また、Ｓ２１４において、印刷情報処理部５９ｄは、印刷処理が完了していないと判定した場合、さらに中断ボタン６００が押されたか否かを判定する（Ｓ２１５）。中断ボタン６００は、上述の通り、印刷処理のキャンセル（中断）を指示するためのボタンである。
【０１２０】
ここで、中断ボタン６００が押されていないと判定された場合（Ｓ２１５にてＮＯ）、Ｓ２１０以降の処理が繰り返される。つまり、印刷処理が完了しておらず、且つ、中断ボタン６００が押されていない場合、印刷画像のプレビューを表示し、印刷実行指示を待機する状態が維持される。
【０１２１】
これに対し、中断ボタン６００が押されたと判定された場合（Ｓ２１５にてＹＥＳ）、印刷情報処理部５９ｄは、記憶装置５４に記憶されている印刷情報を読み出し、リーダライタ５６を介して、当該印刷情報をＩＣカード６０の印刷情報記憶領域に書き込む処理を行う（Ｓ２１６）。また、本実施形態では、ＩＣカード６０のへの印刷情報の書き込みが完了すると、印刷情報処理部５９ｄは、印刷情報がＩＣカード６０へ保存された事をユーザに通知するための通知画面を表示部５８ａに表示させる。図７は当該通知画面の一例を示す図である。これにより、ユーザは、ＩＣカード６０を抜きだれる状態になった事を知ることができる。
【０１２２】
Ｓ２１６の後、印刷情報処理部５９ｄは、印刷実行指示を待機中の印刷処理をキャンセルして、記憶装置５４に記憶されている印刷情報を消去して（Ｓ２１９）、全ての処理を完了する。これにより、表示部５８ａに表示されているプレビューも消去され、表示部５８ａには初期画面が表示される。
【０１２３】
以上示した実施形態によれば、印刷情報処理部５９ｄは、プレビューの指示が受け付けられ、且つ前記印刷処理をキャンセルする指示が受け付けられた場合に、ＩＣカード６０への印刷情報の記憶処理を行うようになっている。これにより、印刷処理がキャンセルされた場合にのみ印刷情報をＩＣカード６０に記憶できる。
【０１２４】
[実施の形態３]
実施の形態３は実施の形態２のバリエーションである。それゆえ、以下では、実施の形態２と同じ点については説明を省略し、実施の形態２と異なる点について説明する。
【０１２５】
本実施形態では、印刷情報をＩＣカード６０に記憶させるのではなく、所定のアドレス（メールアドレス）に、印刷情報を添付したメール（電子メール）を送信するものである。
【０１２６】
本実施形態において、図２に示す記憶装置５４は、ユーザ権限を有するユーザを識別するユーザＩＤと、所定のアドレスとが対応付けられて記憶されている。なお、所定のアドレスとしては、このアドレスに対応付けられているユーザＩＤのユーザの有するアドレスや当該ユーザの所属する部門のアドレス等が挙げられる。
【０１２７】
図２に示す制御部５９に含まれる各ブロックのうち、認証処理部５９ａ、印刷制御部５９ｂ、プレビュー処理部５９ｃにて実行される処理内容は実施の形態２と同様であるので省略する。
【０１２８】
アドレス検出部５９ｅは、図６の中断ボタン６００が押された場合、リーダライタ５６を介してＩＣカード６０に記憶されているユーザＩＤを読み出し、読み出したユーザＩＤと同一のユーザＩＤに対応付けられているアドレスを記憶装置５４から検出するようになっている。
【０１２９】
印刷情報処理部５９ｄの処理内容は、実施の形態２とほぼ同様であるが、Ｓ２１６において、ＩＣカード６０に印刷情報を書き込むのではなく、通信部５７を制御して、所定のアドレスへ印刷情報を添付したメールを送信するようになっている。つまり、印刷情報処理部５９ｄは、中断ボタン６００が押されたと判定された場合（Ｓ２１５にてＹＥＳ）、記憶装置５４に記憶されている印刷情報を読み出し、アドレス検出部５９ｅによって検出されたアドレスに印刷情報を添付したメールを送信するようになっている。
【０１３０】
そして、印刷処理が中断された後、ユーザは、所定のアドレスに送信された印刷情報をＵＳＢメモリ（リムーバブルメディア）に転写し、当該ＵＳＢメモリの印刷情報を複合機５０に読み込ませればよい。この場合、制御部５９は、この印刷情報を記憶装置５４に記憶させ、図６のＳ２０８から処理を再開するようになっている。これにより、当該印刷情報に含まれる画像データに基づくプレビューが表示されるため、中断ボタンが押される前の状態（キャンセル前のプレビューが表示されている状態）を再現できることになる。
【０１３１】
つまり、本実施形態においても、中断ボタン６００を押すことにより印刷処理を一旦キャンセルしても、所定のアドレスに対応する記憶領域に印刷情報が記憶されるため、後にこの印刷情報を複合機５０に読み込ませることで、中断前の状態から印刷処理の設定作業（プレビュー表示）を再開できる。
【０１３２】
なお、所定のアドレスに送信された印刷情報を複合機５０に読み取らせる手法としては、ＵＳＢメモリに印刷情報を転写して当該ＩＣカード６０を複合機５０の挿入する手法に限定されない。例えば、前記アドレスがユーザの有する携帯電話のアドレスであるような場合、携帯電話から複合機５０へ印刷情報を送信することによって複合機５０に印刷情報を読み込ませるという手法であってもよい。この手法の場合、図２に示される通信部５７は、ＩｒＳｉｍｐｌｅなどの赤外線通信規格やＢｌｕｅｔｏｏｔｈ（登録商標）のような無線通信方式、Ｆｅｌｉｃａ（登録商標）のような非接触無線通信方式に基づく送受信が可能であり、携帯電話から通信部５７へ印刷情報が転送されるようになっている。また、携帯電話と通信部５７との間の通信手法は、前記した各方式に限定されるものではなく、公知の通信方式を適用できる。
【０１３３】
また、複合機５０から所定のアドレスへの印刷情報の送信形態は、電子メールプロトコルによる通信に限定されるものではなく、ＦＴＰ（ファイル転送プロトコル）による通信であってもよい。
【０１３４】
以上にて示したように、本実施形態の複合機５０は、ユーザを識別するユーザＩＤとアドレスとの対応関係を予め記憶する記憶装置５４を有している。そして、アドレス検出部５９ｅは、外部から入力されたユーザＩＤと一致するユーザＩＤに対応付けられているアドレスを記憶装置５４から検出するようになっている。さらに、印刷情報処理部５９ｄは、アドレス検出部５９ｅにて検出されたアドレスに印刷情報を送信することによって、このアドレスに対応する記憶領域に印刷情報を記憶させるようになっている。これにより、印刷情報は記憶装置５４に予め登録されているユーザに対応付けられているアドレスに送信されるため、印刷情報の漏洩の危険を抑制できる。
【０１３５】
[実施の形態４]
実施の形態４は実施の形態１〜３の各々に対するバリエーションである。それゆえ、以下では、実施の形態１〜３と共通する点の説明は省略し、実施の形態１〜３と異なる点について説明する。
【０１３６】
実施の形態１〜３の印刷情報とは、印刷処理のために画像入力装置５１から入力された画像データと、前記印刷処理に対して設定されている画像処理の処理条件を示す画像処理パラメータとを含む情報であった。これに対し、本実施形態の印刷情報は、印刷処理のために画像入力装置５１から入力された画像データを識別するための識別子と前記画像処理パラメータとを含む情報であり、前記画像データを含んでいない。
【０１３７】
つぎに、本実施形態を図３の処理に適用するケースを説明する。まず、本実施形態の記憶装置５４は、印刷情報を記憶するための印刷情報用記憶領域と、画像データを記憶するための画像用記憶領域とを有している。
【０１３８】
図３のＳ１０５において、印刷情報処理部５９ｄは、Ｓ１０５で得られた画像データの識別子と画像処理パラメータとを含めた印刷情報を記憶装置５４の印刷情報用記憶領域に書き込み、前記画像データと前記識別子とを対応付けて記憶装置５４の画像用記憶領域に書き込むようになっている。図３のＳ１０７において、印刷情報処理部５９ｄは、記憶装置５４の印刷情報用記憶領域に記憶された印刷情報と同じ印刷情報をＩＣカード６０に書き込む。
【０１３９】
図３のＳ１０６では、印刷情報処理部５９ｄはＩＣカード６０から印刷情報を読み出し、この印刷情報を記憶装置５４の印刷情報用記憶領域に書き込むようになっている。
【０１４０】
図３のＳ１１３において、印刷制御部５９ｂは、記憶装置５４の印刷情報用記憶領域に記憶されている印刷情報の識別子を読み出し、当該識別子に対応する画像データを記憶装置５４の画像用記憶領域から読み出す。そして、印刷制御部５９ｂは、画像処理装置５２を制御することによって、印刷実行指示の入力時点で設定されている処理条件（印刷情報の処理条件）に基づく画像処理を前記画像データに施し、この画像データの画像を印刷する処理を印刷装置５３に実行させる。
【０１４１】
また、印刷処理が完了した場合（Ｓ１１４にてＹＥＳ）、印刷制御部５９ｂは、Ｓ１１７において、記憶装置５４の印刷情報用記憶領域に記憶されている印刷情報を消去し、且つ、この印刷情報に示される識別子に対応する画像データを記憶装置５４の画像用記憶領域から消去する。
【０１４２】
これに対し、印刷処理が完了せずにＩＣカード６０が抜き出された場合（Ｓ１１６にてＮＯ）、印刷制御部５９ｂは、Ｓ１１７において、記憶装置５４の印刷情報用記憶領域に記憶されている印刷情報を消去するが、この印刷情報に示される識別子に対応する画像データについては記憶装置５４の画像用記憶領域から消去しない。
【０１４３】
これにより、実施の形態１と同様、利用者は、ＩＣカード６０を抜き出すことで印刷処理を一旦キャンセルしても、ＩＣカード６０に印刷情報が記憶されているため、ＩＣカード６０に記憶されている印刷情報を複合機５０に読み込ませることで、中断前の状態から印刷処理の設定作業（プレビュー表示）を再開できることになる。また、以上の処理によれば、画像データをＩＣカード６０に記憶させる必要がなく、ＩＣカード６０に必要な記憶容量を削減できるというメリットもある。
【０１４４】
つぎに、本実施形態を図６の処理に適用するケースを説明する。このケースにおいても、記憶装置５４は、印刷情報を記憶するための印刷情報用記憶領域と、画像データを記憶するための画像用記憶領域とを有している。
【０１４５】
図６のＳ２０５において、印刷情報処理部５９ｄは、Ｓ１０５で得られた画像データの識別子と画像処理パラメータとを含めた印刷情報を記憶装置５４の印刷情報用記憶領域に書き込み、前記画像データと前記識別子とを対応付けて記憶装置５４の画像用記憶領域に書き込むようになっている。図６のＳ２０６では、印刷情報処理部５９ｄはＩＣカード６０から印刷情報を読み出し、この印刷情報を記憶装置５４の印刷情報用記憶領域に書き込むようになっている。
【０１４６】
図６のＳ２１３において、印刷制御部５９ｂは、記憶装置５４の印刷情報用記憶領域に記憶されている印刷情報の識別子を読み出し、当該識別子に対応する画像データを記憶装置５４の画像用記憶領域から読み出す。そして、印刷制御部５９ｂは、画像処理装置５２を制御することによって、印刷実行指示の入力時点で設定されている処理条件（印刷情報の処理条件）に基づく画像処理を前記画像データに施し、この画像データの画像を印刷する処理を印刷装置５３に実行させる。
【０１４７】
また、印刷処理が完了した場合（Ｓ２１４にてＹＥＳ）、印刷制御部５９ｂは、Ｓ２１９において、記憶装置５４の印刷情報用記憶領域に記憶されている印刷情報を消去し、且つ、この印刷情報に示される識別子に対応する画像データを記憶装置５４の画像用記憶領域から消去する。
【０１４８】
これに対し、印刷処理が完了せずに中断ボタン６００が押された場合（Ｓ２１４にてＮＯ）、印刷制御部５９ｂは、Ｓ２１９において、記憶装置５４の印刷情報用記憶領域に記憶されている印刷情報を消去するが、この印刷情報に示される識別子に対応する画像データについては記憶装置５４の画像用記憶領域から消去しない。
【０１４９】
これにより、実施の形態２と同様、利用者は、ＩＣカード６０を抜き出すことで印刷処理を一旦キャンセルしても、ＩＣカード６０に印刷情報が記憶されているため、ＩＣカード６０に記憶されている印刷情報を複合機５０に読み込ませることで、中断前の状態から印刷処理の設定作業（プレビュー表示）を再開できることになる。また、以上の処理によれば、画像データをＩＣカード６０に記憶させる必要がなく、ＩＣカード６０に必要な記憶容量を削減できるというメリットもある。
【０１５０】
なお、記憶装置５４の画像用記憶領域に保存されている画像データは所定期間（例えば１日）記憶されるが、所定期間経過後に削除されるようになっていてもよい。
【０１５１】
また、本実施形態においても、実施の形態３と同様、印刷情報処理部５９ｄは、中断ボタン６００が押されたと判定された場合（Ｓ２１５にてＹＥＳ）、記憶装置５４に記憶されている印刷情報を読み出し、アドレス検出部５９ｅによって検出されたアドレスに印刷情報を添付したメールを送信するようになっていてもよい。
【０１５２】
また、中断ボタン６００が押されたと判定された場合、印刷情報処理部５９ｄは、アドレス検出部５９ｅによって検出されたアドレスに印刷情報を添付したメールを送信すると共に、ユーザＩＤと処理中断を示す情報とからなるログを記憶装置５４に記憶しておいてもよい。そして、後に、当該ユーザＩＤのユーザが個人認証を行った場合、制御部５９は、処理途中のデータが残っていることを示す画面を表示部５８ａに表示し、処理を継続するか否かの指示の入力をユーザに促すようになっていてもよい。処理を継続する場合、中断時にアドレスに送信した印刷情報を複合機５０に転送するように促し、転送された印刷情報と記憶装置５４の画像用記憶領域に保存されている画像データとを用いて、当該画像データの画像のプレビューを表示させるようになっている。
【０１５３】
なお、以上の識別子は、記憶装置５４の画像用記憶領域に保存されている画像データを一意に識別するための情報であり、画像データに対して振られた通し番号や、ファイルシステム上のパス名、記憶装置５４の画像用記憶領域における画像データの記憶位置を示した情報などを用いることができる。画像データは一般的にデータサイズが大きいため、画像データを識別する識別子をＩＣカード６０に記憶させるようにすることで、ＩＣカード６０に必要な記憶容量を削減することができる。
【０１５４】
以上示した実施形態の複合機５０は、画像データの画像を印刷する印刷処理を実行する印刷装置５３と、前記印刷処理の実行前にプレビューの指示を受け付けた場合、前記印刷処理に対して設定されている画像処理の処理条件を反映させた前記画像のプレビューを表示部５８ａに表示させるプレビュー状態に移行するプレビュー処理部５９ｃと、前記出力処理の対象となる画像データと前記画像データを識別するための識別子（画像識別情報）とを対応付けて記憶する記憶装置（第１記憶部）５４と、前記プレビュー処理の指示が受け付けられた場合、少なくとも前記印刷処理の実行前に、前記処理条件を示す画像処理パラメータと前記識別子とを含む印刷情報を、ＩＣカード６０に記憶させる記憶処理を実行する印刷情報処理部５９ｄとを備えている。
【０１５５】
これにより、ユーザは、前記印刷処理を一旦キャンセルした後、原稿の再読取や処理条件の再選択等の手間な操作を行わなくても、ＩＣカード６０に記憶された印刷情報を複合機５０に入力するという操作だけで、印刷処理に必要になる前記識別子や前記画像処理パラメータを複合機５０に入力でき、これによりキャンセル前のプレビュー状態（キャンセル前に設定されていた処理条件を反映させた画像のプレビューを表示させている状態）を再現することが可能になる。つまり、簡易な操作によって、印刷処理をキャンセルする前のプレビュー状態を再現できるという効果を奏する。
【０１５６】
なお、以上の各実施形態では、リムーバブルメディアの例としてＩＣカード６０を挙げて説明したが、当該リムーバブルメディアとしては、ＩＣカード６０に限定されるものではなく、メモリカード、光カードを用いることができる。また、使用可能なリムーバブルメディアはカード型のメディアに限定されるものではない。例えば、フロッピー（登録商標）ディスク、ハードディスク等の磁気ディスク系、ＣＤ−ＲＯＭ、ＭＯ、ＭＤ、ＤＶＤ、ＣＤ−Ｒ等の光ディスクを含むディスク系、あるいはマスクＲＯＭ、ＥＰＲＯＭ、ＥＥＰＲＯＭ、フラッシュＲＯＭ等の半導体メモリ系のリムーバブルメディアを用いてもよい。また、リーダライタおよびカードスロットとしては、読出しおよび書き込みを適切に行えるように、使用するリムーバブルメディアの種類に適応した装置が選択される。
【０１５７】
さらに、以上にて示したようなリムーバブルメディアの代わりに、携帯電話、ＰＤＡ（Personal Digital Assistants）、スマートフォン、電子書籍端末等の携帯型端末装置を有線あるいは無線を介して複合機５０に通信可能に接続し、当該携帯型端末装置に備えられるメモリに印刷情報を記憶させるようになっていてもよい。
【０１５８】
なお、以上の各実施形態においては、印刷処理を出力処理の一例として説明したが、出力処理は、ファクシミリ送信でもいいし、イメージ送信（画像を所定のファイル形式のデータに変換して所定の送信先に送信する処理）であってもよい。つまり、複合機５０は、印刷処理のみならず、ファクシミリ送信処理やイメージ送信処理も実行することが可能であり、且つこれら送信処理の前に、送信処理の画像のプレビューを表示可能である。そして、送信処理の場合においても、図３や図６に示す処理と同様、送信処理の画像の画像データと画像処理パラメータとを含めた送信情報をＩＣカード６０に保存し、送信処理が中断された後にＩＣカード６０の送信情報を複合機５０に読み込ませることによって、中断前の状態から作業を再開することが可能である。
【０１５９】
[変形例]
以上の各実施形態にて示した複合機の変形例を以下説明する。図８は変形例の複合機の概略構成を示すブロック図である。
【０１６０】
図８の複合機１００は、コピーモード・プリントモード・ファクシミリ送信モード・ファクシミリ受信モード・イメージ送信モードの中からいずれかのモードが選択されると、選択されたモードを実行する画像形成装置である。
【０１６１】
コピーモード（複写モード）とは、画像データを読み込み（原稿を読み取って画像データを生成し）、この画像データの画像を用紙に印刷するモードを意味する。また、プリントモードとは、複合機１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装置に装着されたＵＳＢメモリなどに送信するモード（scan to usbモード）を意味する。なお、本変形例においては、画像処理の動作上から、ファクシミリ送信モードとイメージ送信モードとを上記のように分類している。
【０１６２】
また、コピーモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【０１６３】
例えば、コピーモードまたはプリントモードにおいて、利用者がシングルカラーモードを選択した場合、上記単色画像が印刷されることになる。また、コピーモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【０１６４】
また、本実施形態では、コピーモードにおいて、自動判別モードを設定することが可能である。この自動判別モードが設定されている場合、複合機１００は、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【０１６５】
複合機１００は、図１に示されるように、画像入力装置１０１、画像処理装置１０２、印刷装置（画像出力装置）１０３、表示部１０４、受信装置１０５、送信装置１０６、記憶装置１０７、制御部１０８を有している。
【０１６６】
画像入力装置１０１は、コピアモード、ファクシミリ送信モード、イメージ送信モードにおいて、原稿を読み取り画像データを生成する画像読取手段である。より具体的に説明すると、画像入力装置１０１は、ＣＣＤ（Charge Coupled Device）を備えたスキャナ部を有し、原稿から反射してきた光を、ＲＧＢに色分解された電気信号（アナログの画像信号）に変換し、この電気信号を画像処理装置に入力するものである。
【０１６７】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置において前述した自動カラー判別処理が行われる場合であってもフルカラーにて原稿画像の読み取りを行う。
【０１６８】
画像処理装置１０２は、画像データ（画像信号）に対して画像処理を施す集積回路であり、ＡＳＩＣ（Application specific integrated circuit）から構成されるものである。画像処理装置１０２は、図８に示すように、Ａ／Ｄ（アナログ／デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【０１６９】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを印刷装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【０１７０】
印刷装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本変形例においての「印刷」とは、プリントモードにおける印刷、コピアモードでの印刷、ファクシミリ受信モードでの印刷のいずれかを意味する。
【０１７１】
表示部１０４は、複合機１００の操作パネル（不図示）に備えられている液晶ディスプレイであり、カラー画像の表示が可能な表示手段である。また、表示部１０４は、タッチパネルに覆われており、複合機１００の入力インターフェイスとしての機能を有している。つまり、表示部１０４には、複合機１００に対して各種コマンドの入力を行うためのＧＵＩ（グラフィカルユーザインターフェイス）や操作ガイドが表示される。
【０１７２】
また、本変形例の複合機１００では、コピーモードまたはファクシミリ受信モードにおいて、印刷実行前に、印刷対象となる画像のプレビューを表示部１０４に表示することが可能になっている。さらに、本変形例の複合機１００では、ファクシミリ送信モードまたはイメージ送信モードにおける送信実行前において、送信対象となる画像のプレビューを表示部１０４に表示することが可能になっている。
【０１７３】
また、コピーモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【０１７４】
なお、表示部１０４は、液晶ディスプレイに限定されるものではなく、液晶ディスプレイ以外の表示手段（例えば、有機ＥＬディスプレイ、プラズマディスプレイ等）であってもよい。
【０１７５】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【０１７６】
記憶装置１０７は、画像処理装置１０２にて扱われる画像データを一旦保存するためのハードディスクである。
【０１７７】
制御部１０８は、ＣＰＵ（Central Processing Unit）あるいはＤＳＰ（Digital Signal Processor）等のプロセッサを含むコンピュータであり、複合機１００に備えられる各種ハードウェアを統括的に制御するものである。また、制御部１０８は、複合機１００に備えられる各ハードウェア間のデータ転送を制御する機能も有する。
【０１７８】
つぎに、コピーモード、ファクシミリ送信モード、ファクシミリ受信モード、イメージ送信モードの各モードにおいて、画像処理装置１０２の各ブロックにて実行される処理の内容を詳細に説明する。なお、本変形例の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【０１７９】
（１）コピーモード
（１−１）印刷処理時（画像印刷ジョブ時）
以下では、図１に基づいて画像処理装置について説明するが、図１はコピーモード且つフルカラーモードにて印刷処理を行う際の画像処理装置内の画像データの流れを示したものである事を述べておく。
【０１８０】
Ａ／Ｄ（アナログ／デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【０１８１】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【０１８２】
領域分離処理部６は、原稿種別自動判別部から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【０１８３】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【０１８４】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【０１８５】
制御部１０８は、圧縮部７から出力された符号化コード（符号化された画像データ）と領域分離信号圧縮部８から出力された領域分離信号コード（圧縮された領域分離信号）とを一旦記憶装置１０７に保存し、ファイリングデータとして管理する。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。
【０１８６】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【０１８７】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【０１８８】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【０１８９】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【０１９０】
【数１】
2013006407.tif 000003
【０１９１】
【表１】
2013006407.tif 000004
【０１９２】
つまり、フルカラーモードの場合の画質調整部１１からの出力は、図８に示されるように、ＲＧＢの画像データとなるところ、シングルカラーモードが選択されている場合の画質調整部１１からの出力は、図９（ａ）に示されるように、ＣＭＹの画像データとなる。なお、２色カラーモードが選択されている場合の画質調整部１１からの出力は、図９（ｂ）に示されるように、ＲＧＢの画像データとなる。なお、図９（ａ）は、コピアモード且つシングルカラーモードにて印刷処理が行われる際の画像処理装置の一部のブロックを示したものであり、図９（ｂ）は、コピアモード且つ２色カラーモードにて印刷処理が行われる際の画像処理装置の一部のブロックを示したものである。
【０１９３】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部）で行われるのである。
【０１９４】
２色化処理部１２は、２色カラーモードが選択されている場合、図９（ｂ）に示すように、画質調整部１１から出力されたＲＧＢの画像データをＣＭＹの画像データに変換する処理を行うブロックである。なお、２色化処理部１２は、フルカラーモードが選択されている場合、図８に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図９（ａ）に示すように、画質調整部１１から出力されたＣＭＹの画像データに対して何も処理を行わず、当該画像データをそのまま色補正部１３へ引き渡す（スルーする）。
【０１９５】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【０１９６】
また、色補正部１３は、シングルカラーモードまたは２色カラーモードが選択されている場合、図９（ａ）（ｂ）に示されるように、２色化処理部１２から出力されたＣＭＹの画像データに対して何も処理を行わず、当該画像データをそのまま黒生成／下色除去部へ引き渡す（スルーする）。
【０１９７】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図８および図９（ｂ）に示されるように、ＣＭＹの画像データは黒生成／下色除去部１４によってＣＭＹＫの４色の画像データに変換される。
【０１９８】
また、黒生成／下色除去部１４は、シングルカラーモードが選択されている場合、図９（ａ）に示されるように、色補正部１３から出力されたＣＭＹの画像データに対して何も処理を行わず、当該画像データをそのまま後段の空間フィルタ部へ引き渡す（スルーする）。
【０１９９】
なお、フルカラーモードまたは２色カラーモードが選択されている場合、黒生成／下色除去部１４の出力、および、黒生成／下色除去部１４よりも後段の各ブロックの入出力は、図８のように、ＣＭＹＫの画像データとなる。しかし、シングルカラーモードが選択されている場合、黒生成／下色除去部の出力、および、黒生成／下色除去部よりも後段の各ブロックの入出力は、図８とは異なり、ＣＭＹの画像データとなる。
【０２００】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【０２０１】
変倍部１６は、操作パネル（不図示）を介して利用者によって入力される変倍コマンド（印刷画像の倍率を示した情報）に基づいて、画像の拡大や縮小処理を行うブロックである。
【０２０２】
出力階調補正部１７は、変倍部１６から出力された画像データに対して、用紙等の記録媒体に出力するための出力γ補正処理を行うブロックである。中間調生成部１８は、誤差拡散法やディザ法を用いて、印刷装置１０３において画像を印刷するために必要な階調再現処理（中間調生成処理）を実行するものである。
【０２０３】
そして、中間調生成部１８から出力されるＣＭＹＫまたはＣＭＹの画像データは印刷装置１０３に引き渡され、印刷装置（画像出力装置）１０３は、当該画像データの画像を記録媒体（例えば紙等）上に印刷する。
【０２０４】
（１−２）プレビュー表示時
つぎに、コピーモードにて印刷対象画像のプレビューを表示する場合に画像処理装置１０２の各ブロックにて実行される処理の内容を図１０に基づいて説明する。図１０は、図８の画像形成装置と同じ画像形成装置を示すブロック図であり、コピアモード且つフルカラーモードにてプレビュー表示を行う際の画像データの流れを示した図である。
【０２０５】
なお、Ａ／Ｄ変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【０２０６】
領域分離信号復号部１０は、図１０に示すように、プレビュー表示時において、復号化した領域分離信号を空間フィルタ部１５および出力階調補正部１７に引き渡す。
【０２０７】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを表示部１０４の色空間に適合するＲ’Ｇ’Ｂ’の画像データへ変換する処理を行う。
【０２０８】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【０２０９】
そして、本実施形態では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【０２１０】
ここで、図１０は、図８と同様、フルカラーモードが選択されている場合の複合機１００を示したものであり、色補正部１３は、フルカラーモードにおいて、ＲＧＢの画像データを入力するようになっている。しかし、シングルカラーモードまたは２色カラーモードでは、図１１（ａ）（ｂ）に示すように、色補正部１３はＣＭＹの画像データを入力するようになっている。なお、図１１（ａ）は、コピアモード且つシングルカラーモードにてプレビュー表示処理が行われる際の画像処理装置１０２の一部のブロックを示したものであり、図１１（ｂ）は、コピアモード且つ２色カラーモードにてプレビュー表示処理が行われる際の画像処理装置１０２の一部のブロックを示したものである。
【０２１１】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示部１０４の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【０２１２】
黒生成／下色除去部１４は、図１０および図１１に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【０２１３】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【０２１４】
変倍部１６は、空間フィルタ部１５から出力されたＲ’Ｇ’Ｂ’の画像データからなる画像の画素数を表示部１０４の画素数に変換する間引き処理（画素数を減少する処理）を行う。複合機１００の操作パネルに備えられる表示部１０４は、印刷を行う画像データの解像度と比較すると低解像度であり、通常、極めて小型のディスプレイである。それゆえ、プレビュー表示時においては、画像データを間引く必要がある。また、変倍部１６では、複合機１００に備えられる操作パネル（不図示）より入力される変倍コマンド（表示倍率を示す情報、例えば２〜４倍等の固定倍率）に基づいて画像の拡大や縮小処理がなされる。
【０２１５】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、表示部１０４の表示特性に応じたガンマ曲線が選択され、文字領域に対しては、文字をくっきりと表示させるためのガンマ曲線が選択される。ここで、図１２（ａ）は、表示部１０４の表示特性に応じたガンマ曲線である。また、図１２（ｂ）の実線で示される曲線は文字をくっきりと表示させるためのガンマ曲線である。なお、図１２（ｂ）の破線は、表示部１０４の表示特性に応じたガンマ曲線であり、文字をくっきりと表示させるためのガンマ曲線と比較するために図示したものである。
【０２１６】
なお、本実施形態では、出力階調補正部１７は、領域分離信号に基づいてガンマ曲線の選択を行っているが、領域分離信号による選択を行わないで図１２（ａ）のガンマ曲線のみを用いて出力階調補正を行うようにしても良い。
【０２１７】
そして、中間調生成部１８は、出力階調補正部１７から出力されたＲ’Ｇ’Ｂ’の画像データに対して何も処理を行わず、当該画像データをそのまま後段の表示部１０４へ引き渡す（スルーする）。これにより、表示部１０４は、Ｒ’Ｇ’Ｂ’の画像データに基づいて、コピー対象となる画像のプレビューを表示できる。
【０２１８】
なお、出力階調補正部１７において実行されている出力γ補正処理は、画質調整部１１にて実行されてもよい。
【０２１９】
さらに、コピアモードのプレビュー表示時においてフルカラーモードが選択されているとき、または、コピアモードのプレビュー表示時において自動判別モードが選択され且つカラー原稿と判定されたとき、印刷処理や表示処理がフルカラーで行われる事を利用者に認識させるための識別情報（例えば「フルカラー」の文字）を表示部１０４に表示する。一方、複合機１００は、コピアモードのプレビュー表示時において白黒モードが選択されているとき、または、コピアモードのプレビュー表示時において自動判別モードが選択され且つ白黒原稿と判定されたとき、印刷処理や表示処理が白黒モードで行われる事を利用者認識させるための識別情報（例えば「白黒」を示す文字）を表示部１０４に表示する。
【０２２０】
これにより、コピーしようとしている原稿の画像データがどのようなモードで処理されるのかをユーザに分かりやすく通知することができ、ユーザは後の処理の選択を適切に行うことができる。例えば、自動判別モードが選択されている場合、黒文字で書かれた原稿の一部に赤で記載された箇所があると原稿種別自動判別部５にてカラー原稿と判定されるが、ユーザがフルカラーで出力したくない場合、自動判別モードから白黒モードに変更して出力することが可能になる。
【０２２１】
以上示した変形例の複合機１００においては、制御部１０８が図２の制御部５９に対応し、記憶装置１０７が図２の記憶装置５４に対応し、画像入力装置１０１が図２の画像入力装置５１に対応し、画像処理装置１０２が図２の画像処理装置５２に対応し、印刷装置１０３が図２の印刷装置５３に対応し、表示部１０４が図２の表示部５８ａに対応する。つまり、本変形例では、制御部１０８が、図２に示す認証処理部５９ａ、印刷制御部５９ｂ、プレビュー処理部５９ｃ、印刷情報処理部５９ｄ、アドレス検出部５９ｅの機能を実行するようになっている。これにより、本変形例の複合機１００においても、以上の各実施形態にて実現されるＩＣカード６０に対する印刷情報の書き込みや、ＩＣカード６０からの印刷情報の読み出しを実現でき、一旦印刷処理がキャンセルされる場合であっても、印刷情報の保存されたＩＣカード６０を再挿入すれば、キャンセル前のプレビューの状態を再現できる。
【０２２２】
なお、本変形例では、プレビュー指示が選択された場合、以下のような流れで印刷情報が記憶装置１０７およびＩＣカード６０に書き込まれることになる。スタートボタンが押されると、画像入力装置１０１が画像データを生成し、Ａ／Ｄ変換部２から原稿種別自動判別部５までの処理が前記画像データに施される。その後、圧縮部７が当該画像データを圧縮し、圧縮後の画像データが画像処理パラメータとセットにされて、このセットが印刷情報として記憶装置１０７およびＩＣカードの各々に記憶される。なお、図８の構成において、圧縮部７および複号部９は必須の構成ではないので、圧縮されていない画像データと画像処理パラメータとのセットが印刷情報として記憶装置１０７およびＩＣカードに記憶されるようになっていてもよい。
【０２２３】
また、本変形例では、コピーモードにおけるプレビュー時の処理について説明したが、ファクシミリ送信モード、ファクシミリ受信モード、イメージ送信モードが選択されたときも、コピーモードと同様、モードに応じて信号変換、処理を選択してプレビューを行っても良い。
【０２２４】
また、本実施形態の複合機は図１３に示すように変形されたものであてもよい。つまり、図１３に示すように、複合機１００ａは、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すようになっていてもよい。
【０２２５】
[実施の形態５]
つぎに、実施の形態５について説明する。この実施の形態５は、以上にて示した実施の形態１のバリエーションであるので、実施の形態１と共通する事項の説明は極力省略し、実施の形態１と異なる事項を中心に説明する。なお、本実施形態において、実施の形態１と同じ部材については同じ参照符号を付している。
【０２２６】
図１４は、本実施形態の複合機５０、および、複合機５０に着脱されるＩＣカード６０の概略構成を示したブロック図である。
【０２２７】
本実施形態の複合機５０は、実施形態１の複合機（図１および図２）が有する構成部材と同じ構成部材を全て備えており、さらに秘密性判定部７０（図１４）を備えている。
【０２２８】
秘密性判定部（セキュリティ文書認識処理部）７０は、画像入力装置５１またはＩＣカード６０から複合機５０に画像データが入力されると、入力された画像データの画像が秘密画像に該当するか否かを判定する判定処理を行うブロックである。ここで、秘密画像とは、秘密性が高く、セキュリティを重視しければならない画像であり、秘密性を表すマークが示されている画像を意味する。ここで、秘密性を表すマークとは、図１５に示すように、マル秘や極秘といった所定文字、若しくは、地紋などの偽造防止パターン等を意味する。
【０２２９】
秘密性判定部７０にて行われる判定処理は周知の手法（例えば特許文献２や特許文献３）を用いて実現できる。以下では秘密性判定部７０にて実行される処理の一例を述べる。秘密性判定部７０は、画像入力装置５１またはＩＣカード６０から入力されて記憶装置５４に保存された画像データに示される画像から特徴画像（例えば背景に埋め込まれた地紋パターン）を抽出し、当該特徴画像と予め記憶装置５４に記憶させている特殊画像（秘密性を示す地紋パターン）とが一致するか否かを判断する。
具体的に、秘密性判定部７０は、複合機５０に入力された画像データに示される画像から抽出した特徴画像の特徴量（例えばドット密度）と前記特殊画像の特徴量とを比較して類似度を求め、前記類似度が閾値以上であれば前記特徴画像と前記特殊画像とが一致すると判断し、前記類似度が閾値未満であれば前記特徴画像と前記特殊画像とが一致しないと判断する。
そして、秘密性判定部７０は、前記特徴画像と前記特殊画像とが一致すると判断した場合、入力された画像データの画像が秘密画像に該当すると判定し、前記特徴画像と前記特殊画像とが一致しないと判断した場合、入力された画像データの画像が秘密画像に該当しないと判定する。
【０２３０】
つぎに、本実施形態の印刷情報処理部５９ｄ（図１４）の処理内容を説明する。
【０２３１】
印刷情報処理部５９ｄは、プレビューの指示が入力された場合、リーダライタ５６を介してＩＣカード６０の印刷情報記憶領域６０ｂにアクセスし、印刷情報記憶領域６０ｂに印刷情報が記憶されているか否かを判定する。印刷情報処理部５９ｄは、印刷情報記憶領域６０ｂに印刷情報が記憶されていないと判定した場合、画像入力装置５１に原稿の読み取りを実行させることで画像入力装置５１から画像データを複合機１へ入力し、当該画像データを含む印刷情報を記憶装置５４に書き込む。これに対し、印刷情報処理部５９ｄは、印刷情報記憶領域６０ｂに印刷情報が記憶されていると判定した場合、この印刷情報をＩＣカード６０から複合機５０に入力して記憶装置５４に書き込む。
【０２３２】
そして、画像入力装置５１から画像データが入力された場合、当該画像データの画像が秘密画像ではないと秘密性判定部７０に判定されると、印刷情報処理部５９ｄは、ＩＣカード６０の印刷情報記憶領域６０ｂに当該画像データを含む印刷情報を書き込むようになっている。これに対し、画像入力装置５１から画像データが入力された場合であって、当該画像データの画像が秘密画像であると秘密性判定部７０に判定されると、印刷情報処理部５９ｄは、当該画像データを含む印刷情報をＩＣカード６０に書き込まない。
【０２３３】
また、ＩＣカード６０から複合機５０に印刷情報が入力された場合、当該印刷情報に含まれる画像データの画像が秘密画像であると秘密性判定部７０に判定されると、印刷情報処理部５９ｄは、ＩＣカード６０の印刷情報記憶領域６０から前記印刷情報を消去するようになっている。これに対し、ＩＣカード６０から複合機５０に印刷情報が入力された場合であって、当該印刷情報に含まれる画像データの画像が秘密画像でないと秘密性判定部７０に判定されると、印刷情報処理部５９ｄは、当該画像データを含む印刷情報をＩＣカード６０から消去せずそのままＩＣカード６０に保存する。
【０２３４】
つぎに、本実施形態の複合機５０にて実行される処理の流れを図１６に基づいて説明する。なお、図１６のフローチャートにおいて、図３のフローチャートと同様の処理内容のステップについては、同じステップ番号を付してその説明を極力省略する。なお、図１６の各ステップのうち、図３にはないステップは、Ｓ１２０，Ｓ１２１，Ｓ１４０〜Ｓ１４２である。
【０２３５】
図１６に示されるフローチャートにおいて、最初に、印刷情報が記録されていないＩＣカード６０が複合機５０に装着されると、実施の形態１と同じようにＳ１０１〜Ｓ１０５が行われる。つまり、画像入力装置５１から画像データが読み取られ、印刷情報処理部５９ｄが、当該画像データと初期設定されている処理条件を示す画像処理パラメータとを含めた印刷情報を記憶装置５４に記憶するようになっている。
【０２３６】
そして、本実施形態では、Ｓ１０５の後、秘密性判定部７０が判定処理（秘密性判定）を実行する（Ｓ１２０）。Ｓ１２０の判定処理ではＳ１０５にて読み取られた画像データの画像が秘密画像に該当するか否か判定する。Ｓ１２０にて前記の画像データの画像が秘密画像であると判定された場合（Ｓ１２１にてＹＥＳ）、制御部５９はＳ１０７をスキップしてＳ１０８に移行する。これに対し、Ｓ１２０にて前記の画像データの画像が秘密画像でないと判定された場合（Ｓ１２１にてＮＯ）、制御部５９は、Ｓ１０７の処理を実行し、その後、Ｓ１０８に移行するようになっている。
【０２３７】
これに対し、図１６に示されるフローチャートにおいて、最初に、印刷情報が記録されているＩＣカード６０が複合機５０に装着されると、実施の形態１と同じようにＳ１０１〜Ｓ１０４，Ｓ１０６が行われる。つまり、ＩＣカード６０から印刷情報が読み出され（Ｓ１０６）、この印刷情報は複合機５０の記憶装置５４に記憶されることになる。
【０２３８】
そして、本実施形態では、Ｓ１０６の後、秘密性判定部７０が判定処理（秘密性判定）を実行する（Ｓ１４０）。Ｓ１４０の判定処理ではＳ１０６にてＩＣカード６０から読み取られた画像データの画像が秘密画像に該当するか否か判定する。Ｓ１４０にて前記の画像データの画像が秘密画像でないと判定された場合（Ｓ１４１にてＮＯ）、制御部５９はＳ１４２をスキップしてＳ１０８に移行する。これに対し、Ｓ１４０にて前記の画像データの画像が秘密画像であると判定された場合（Ｓ１４１にてＹＥＳ）、制御部５９は、ＩＣカード６０に記憶されている印刷情報を消去する（Ｓ１４２）。なお、ここで消去されるのは、ＩＣカード６０に記憶されている印刷情報であって、記憶装置５４に記憶されている印刷情報ではない。そして、Ｓ１４２の後、Ｓ１０８に移行するようになっている。
【０２３９】
Ｓ１０８以降の処理は実施の形態１と同様である。但し、Ｓ１０７がスキップされた場合（Ｓ１２１にてＹＥＳ）、若しくは、ＩＣカード６０から印刷情報が消去された場合（Ｓ１４２）、Ｓ１１１において、印刷情報処理部５９ｄは、記憶装置５４に記憶されている印刷情報に含まれる画像処理パラメータを、調整後の処理条件に合致した内容になるように書き換えるようになっている。また、Ｓ１０７がスキップされた場合（Ｓ１２１にてＹＥＳ）、若しくは、ＩＣカード６０から印刷情報が消去された場合（Ｓ１４２）、印刷処理が完了しても（Ｓ１１４にてＹＥＳ）、Ｓ１１５が実行されることなくＳ１１７に移行するようになっている。
【０２４０】
ＩＣカード６０を紛失してしまうとＩＣカード６０内のデータ流出の虞があるが、本実施形態の構成によれば、画像入力装置５１から入力した画像データが秘密性の高い画像のデータの場合、ＩＣカード６０に当該画像データを記憶させないようになっている。さらに、本実施形態の構成によれば、ＩＣカード６０から入力した画像データが秘密性の高い画像のデータの場合、ＩＣカード６０から当該画像データを消去するようになっている。それゆえ、ＩＣカード６０を紛失しても、秘密性の高い情報の情報漏洩の危険性を抑制できるという効果を奏する。
【０２４１】
なお、本実施形態の画像処理装置５２が図８の画像処理装置１０２（変形例）に相当する構成である場合、秘密性判定部７０は、入力処理部４の後段において原稿種別自動判別部５と並列に設けられてもよい。この場合、画像入力装置５１（画像入力装置１０１）にて読み取られ、Ａ／Ｄ変換部２〜入力処理部４までの処理が実行された後の画像データを用いて、秘密性判定部７０が判定処理を行うようになっている。
【０２４２】
また、本実施形態においても、実施の形態４にて説明したように、ＩＣカード６０に記憶する印刷情報を、画像データを識別するための識別子と画像処理パラメータとを含む情報としてもよい。この場合、図１６のＳ１０１〜Ｓ１１７は実施の形態４のＳ１０１〜Ｓ１１７と同様である。そして、Ｓ１２０において、秘密性判定部７０は、Ｓ１０５で得られた画像データに対して秘密性の判定処理を行う。また、Ｓ１４０において、秘密性判定部７０は、ＩＣカード６０から読み出された印刷情報の識別子に対応する画像データに対して秘密性の判定処理を行う。なお、Ｓ１０７がスキップされた場合（Ｓ１２１にてＹＥＳ）、若しくは、ＩＣカード６０から印刷情報が消去された場合（Ｓ１４２）、Ｓ１１１において、印刷情報処理部５９ｄは、記憶装置５４に記憶されている印刷情報に含まれる画像処理パラメータを、調整後の処理条件に合致した内容になるように書き換えるようになっている。また、Ｓ１０７がスキップされた場合（Ｓ１２１にてＹＥＳ）、若しくは、ＩＣカード６０から印刷情報が消去された場合（Ｓ１４２）、印刷処理が完了しても（Ｓ１１４にてＹＥＳ）、Ｓ１１５が実行されることなくＳ１１７に移行するようになっている。
【０２４３】
また、本実施形態では、画像入力装置５０から画像データを入力した場合（Ｓ１０５）、秘密判定処理が行われた後にＩＣカード６０へ印刷情報を記憶する記憶処理を行うようになっているが、前記記憶処理を行った後に秘密判定処理を行うようになっていてもよい。具体的には、図１６のＳ１０５の後、Ｓ１２０、Ｓ１２１、Ｓ１０７、Ｓ１０８の処理が行われる代わりに、以下に示す処理が行われるようになっていてもよい。
まず、Ｓ１０５の後、印刷情報処理部５９ｄが、画像入力装置５１から入力された画像データと初期設定されている処理条件を示す画像処理パラメータとを含めた印刷情報を、ＩＣカード６０および記憶装置５４の各々に記憶するようになっている。その後、秘密性判定部７０は、前記の印刷情報に含まれる画像データの画像が秘密画像に該当するか否か判定する。
前記の印刷情報に含まれる画像データの画像が秘密画像に該当すると判定された場合、印刷情報処理部５９ｄは、ＩＣカード６０に記憶されている印刷情報を消去して、図１６のＳ１０８以降の処理を実行するようになっている。これに対し、前記の印刷情報に含まれる画像データの画像が秘密画像に該当しないと判定された場合、印刷情報処理部５９ｄは、ＩＣカード６０に記憶されている印刷情報を消去せずに、図１６のＳ１０８以降の処理を実行する。
以上にて示した構成によれば、ＩＣカード６０へ印刷情報を記憶した後に秘密判定処理を行うようになっており、前記印刷情報に含まれる画像データの画像が秘密画像と判定されると、ＩＣカード６０に記憶されている印刷情報を消去するようになっている。これにより、ＩＣカード６０を紛失しても、秘密性の高い情報の情報漏洩の危険性を抑制できるという効果を奏する。
【０２４４】
また、本実施形態では、ＩＣカード６０から複合機５０へ入力された画像データの画像が秘密画像である場合（Ｓ１４１にてＹＥＳ）、ＩＣカード６０から印刷情報が消去され（Ｓ１４２）、その後に記憶装置５４の印刷情報を用いてＳ１０８以降の処理が行われるようになっているが、Ｓ１０８〜Ｓ１１６を行わずに処理を終了するようになっていてもよい。すなわち、図１６のＳ１４１にてＹＥＳの場合、ＩＣカード６０から印刷情報が消去され（Ｓ１４２）、その後にＳ１０８〜Ｓ１１６がスキップされた上で、記憶装置５４から印刷情報が消去され（Ｓ１１７）、処理を終了するようになっていてもよい。あるいは、ユーザに権限を付与し、ユーザの権限に応じて、Ｓ１０８以降の処理を行うようにするか、または、処理を終了するように制御しても良い。
【０２４５】
[実施の形態６]
つぎに、実施の形態６について説明する。この実施の形態６は、以上にて示した実施の形態５のバリエーションであるので、実施の形態５と共通する事項の説明は極力省略し、実施の形態５と異なる事項を中心に説明する。
【０２４６】
本実施形態の複合機５０は、利用者が操作パネル５８を操作してスタンプ機能（地紋合成機能）を選択している場合、画像入力装置５１若しくはＩＣカード６０から入力された画像データに対して、秘密を示すマークを合成する処理（合成処理）を行う合成処理部（不図示）を有している。
【０２４７】
つまり、本実施形態では、スタンプ機能が選択されている場合、画像入力装置５１若しくはＩＣカード６０から入力された画像データは前記マークが合成された上で記憶装置５４に保存される。そして、プレビュー処理部５９ｃは、記憶装置５４に保存されている画像データの画像（マークの合成された画像）のプレビューを表示部５８ａに表示させ、印刷制御部５９ｂは、記憶装置５４に保存されている画像データの画像（マークの合成された画像）を印刷装置５３に印刷させるようになっている。
【０２４８】
そして、本実施形態の秘密性判定部７０ａは、利用者にスタンプ機能が選択されている場合、画像入力装置５１若しくはＩＣカード６０から入力されて印刷対象となる画像データの画像が秘密画像であると判定し、利用者にスタンプ機能が選択されていない場合、画像入力装置５１若しくはＩＣカード６０から入力されて印刷対象となる画像データの画像が秘密画像でないと判定する。
【０２４９】
つぎに、本実施形態の複合機５０にて実行される処理の流れを説明する。なお、本形態の処理の流れについては、実施の形態５の処理の流れと同様であり、図１６のフローチャートを用いて説明することが可能であるので、当該フローチャートを用いて説明する。
【０２５０】
本実施形態においても、印刷情報が記録されていないＩＣカード６０が複合機５０に装着されると、実施の形態１と同じようにＳ１０１〜Ｓ１０５が行われる。そして、Ｓ１０５の後、Ｓ１０５にて入力された画像データの画像が秘密画像に該当するか否かの判定処理（秘密性判定）を秘密性判定部７０が実行する（Ｓ１２０）。なお、本実施形態のＳ１２０にて、秘密性判定部７０ａは、Ｓ１０５が実行されるまでの間において利用者にスタンプ機能が選択されている場合（前記の合成処理の実行指示が入力されている場合）、画像データの画像が秘密画像に該当すると判定する。これに対し、秘密性判定部７０ａは、Ｓ１０５が実行されるまでの間において利用者にスタンプ機能が選択していない場合（前記の合成処理の実行指示が入力されていない場合）、画像データの画像が秘密画像に該当しないと判定する。そして、Ｓ１２０以降の処理の流れについては、実施の形態５と同様であるのでその説明を省略する。
【０２５１】
また、印刷情報が記録されているＩＣカード６０が複合機５０に装着されると、実施の形態１と同じようにＳ１０１〜Ｓ１０４，Ｓ１０６が行われる。そして、Ｓ１０６の後、Ｓ１０６にて入力された画像データの画像が秘密画像に該当するか否かの判定処理（秘密性判定）を秘密性判定部７０ａが実行する（Ｓ１４０）。なお、本実施形態のＳ１４０にて、秘密性判定部７０ａは、Ｓ１０５が実行されるまでの間において利用者にスタンプ機能が選択されている場合（前記の合成処理の実行指示が入力されている場合）、画像データの画像が秘密画像に該当すると判定する。これに対し、秘密性判定部７０ａは、Ｓ１０６が実行されるまでの間において利用者にスタンプ機能が選択されていない場合（前記の合成処理の実行指示が入力されていない場合）、画像データの画像が秘密画像に該当しないと判定する。
【０２５２】
以上にて説明した本実施形態の構成によれば、画像入力装置５１から入力した画像データに秘密性を示すマークを合成する場合、ＩＣカード６０に当該画像データを記憶させないようになっている。さらに、ＩＣカード６０から入力した画像データに秘密性を示すマークを合成する場合、ＩＣカード６０から当該画像データを消去するようになっている。それゆえ、秘密性の高い画像データの漏洩（情報漏洩）の危険性を抑制できるという効果を奏する。
【０２５３】
[プログラムについて]
上述した制御部５９、秘密性判定部７０、画像処理装置５２の各ブロックは、ハードウェアロジックによって構成してもよいし、次のようにＣＰＵを用いてソフトウェアによって実現してもよい。
【０２５４】
すなわち、制御部５９、秘密性判定部７０、画像処理装置５２は、各ブロックの各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本実施形態は、上述した機能を実現するソフトウェアである制御プログラムのプログラムコード（実行形式プログラム、中間コードプログラム、ソースプログラム）をコンピュータで読み取り可能に記録した記録媒体から、複合機のコンピュータ（またはＣＰＵやＭＰＵ）がプログラムコードを読み出し実行することによっても、達成可能である。
【０２５５】
なお、本実施の形態では、この記録媒体としては、マイクロコンピュータで処理が行われるために図示していないメモリ、例えばＲＯＭのようなものそのものであっても良いし、また、図示していないがプログラム読み取り装置が設けられ、そこに挿入されることで読み取り可能なプログラムメディアであっても良い。いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０２５６】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ，ＭＯ，ＭＤ，ＤＶＤ，ＣＤ−Ｒ等の光ディスクを含むディスク系、ＩＣカード（メモリカードを含む），光カード等のカード系、あるいは、マスクＲＯＭ，ＥＰＲＯＭ（Erasable Programmable Read Only Memory），ＥＥＰＲＯＭ（Electrically Erasable Programmable Read Only Memory），フラッシュＲＯＭ等の半導体メモリ系等の固定的にプログラムコードを担持する媒体であっても良い。
【０２５７】
また、本実施の形態の複合機５０はインターネットを含む通信ネットワークを接続可能なシステム構成であることから、前記の記録媒体は、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。
【０２５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２５９】
本発明は複合機に利用できる。
【符号の説明】
【０２６０】
５０    複合機（画像出力装置）
５１    画像入力装置
５２    画像処理装置
５３    印刷装置（出力処理部）
５４    記憶装置（記憶部、第１記憶部、第２記憶部、第３記憶部）
５５    カードスロット
５６    リーダライタ
５７    通信部
５８    操作パネル
５８ａ  表示部
５９    制御部
５９ａ  認証処理部
５９ｂ  印刷制御部
５９ｃ  プレビュー処理部
５９ｄ  印刷情報処理部（出力情報処理部）
５９ｅ  アドレス検出部
６０    ＩＣカード（リムーバブルメディア）
【図１】
2013006407.tif 000005
【図２】
2013006407.tif 000006
【図３】
2013006407.tif 000007
【図４】
2013006407.tif 000008
【図５】
2013006407.tif 000009
【図６】
2013006407.tif 000010
【図７】
2013006407.tif 000011
【図８】
2013006407.tif 000012
【図９】
2013006407.tif 000013
【図１０】
2013006407.tif 000014
【図１１】
2013006407.tif 000015
【図１２】
2013006407.tif 000016
【図１３】
2013006407.tif 000017
【図１４】
2013006407.tif 000018
【図１５】
2013006407.tif 000019
【図１６】
2013006407.tif 000020